(57)【特許請求の範囲】
【請求項１】
他の端末装置との通信が可能な端末装置であって、
第１セルによりブロードキャストされた、サービングセルの周波数とは異なる周波数を用いる前記第１セルにおけるセル選択パラメータを含む第１システムインフォメーション、および自装置が端末間通信を実行するための無線リソースプールを示す第２システムインフォメーションを受信する受信部と、
前記第１セルの測定結果と、前記第１セルの前記セル選択パラメータとの関係がセル選択基準を満たす場合、前記無線リソースプールを用いて、タイミングアドバンス、リソースパターン、および端末間通信に関するデータを送信する送信部と、
を備える、端末装置。
【請求項２】
前記第１セルの測定結果と、前記第１セルの前記セル選択パラメータとの関係がセル選択基準を満たす場合、前記第１セルのカバレッジ内であるとみなされる、請求項１に記載の端末装置。
【請求項３】
前記第１セルにおいてデバイス間通信が実行されている場合、前記第１セルにおける前記第２システムインフォメーションは、前記第１のセルによりブロードキャストされる前記端末間通信に関する前記第２のシステムインフォメーションの更新情報に基づいて、再取得される、
請求項１に記載の端末装置。
【請求項４】
第１セルによりブロードキャストされた、サービングセルの周波数とは異なる周波数を用いる前記第１セルにおけるセル選択パラメータを含む第１システムインフォメーション、および端末装置が端末間通信を実行するための無線リソースプールを示す第２システムインフォメーションを送信する送信部を備え、
前記無線リソースプールは、前記第１セルの測定結果と前記第１セルの前記セル選択パラメータとの関係がセル選択基準を満たす場合、タイミングアドバンス、リソースパターン、および端末間通信に関するデータを送信するために用いられる、
基地局装置。
【請求項５】
他の端末装置との通信が可能な端末装置と、
前記端末装置と通信が可能な基地局装置と、を備え、
前記基地局装置は、
第１セルによりブロードキャストされた、サービングセルの周波数とは異なる周波数を用いる前記第１セルにおけるセル選択パラメータを含む第１システムインフォメーション、および前記端末装置が端末間通信を実行するための無線リソースプールを示す第２システムインフォメーションを送信する送信部を備え、
前記端末装置は、
前記第１セルによりブロードキャストされた、前記第１システムインフォメーション、および前記第２システムインフォメーションを受信する受信部と、
前記第１セルの測定結果と、前記第１セルの前記セル選択パラメータとの関係がセル選択基準を満たす場合、前記無線リソースプールを用いて、タイミングアドバンス、リソースパターン、および端末間通信に関するデータを送信する送信部と、を備える、
通信システム。
【請求項６】
他の端末装置との通信が可能な端末装置の通信方法であって、
第１セルによりブロードキャストされた、サービングセルの周波数とは異なる周波数を用いる前記第１セルにおけるセル選択パラメータを含む第１システムインフォメーション、および自装置が端末間通信を実行するための無線リソースプールを示す第２システムインフォメーションを受信し、
前記第１セルの測定結果と、前記第１セルの前記セル選択パラメータとの関係がセル選択基準を満たす場合、前記無線リソースプールを用いて、タイミングアドバンス、リソースパターン、および端末間通信に関するデータを送信する、
端末装置の通信方法。
【請求項７】
前記第１セルの測定結果と、前記第１セルの前記セル選択パラメータとの関係がセル選択基準を満たす場合、前記第１セルのカバレッジ内であるとみなされる、請求項６に記載の端末装置の通信方法。
【請求項８】
前記第１セルにおいてデバイス間通信が実行されている場合、前記第１セルにおける前記第２システムインフォメーションは、前記第１のセルによりブロードキャストされる前記端末間通信に関する前記第２のシステムインフォメーションの更新情報に基づいて、再取得される、
請求項６に記載の端末装置の通信方法。
【請求項９】
第１セルによりブロードキャストされた、サービングセルの周波数とは異なる周波数を用いる前記第１セルにおけるセル選択パラメータを含む第１システムインフォメーション、および端末装置が端末間通信を実行するための無線リソースプールを示す第２システムインフォメーションを送信し、
前記無線リソースプールは、前記第１セルの測定結果と前記第１セルの前記セル選択パラメータとの関係がセル選択基準を満たす場合、タイミングアドバンス、リソースパターン、および端末間通信に関するデータを送信するために用いられる、
基地局装置の通信方法。
【請求項１０】
他の端末装置との通信が可能な端末装置に実装される集積回路であって、
前記集積回路は、一連の複数の機能を実行し、前記複数の機能は、
第１セルによりブロードキャストされた、サービングセルの周波数とは異なる周波数を用いる前記第１セルにおけるセル選択パラメータを含む第１システムインフォメーション、および自装置が端末間通信を実行するための無線リソースプールを示す第２システムインフォメーションを受信する機能と、
前記第１セルの測定結果と、前記第１セルの前記セル選択パラメータとの関係がセル選択基準を満たす場合、前記無線リソースプールを用いて、タイミングアドバンス、リソースパターン、および端末間通信に関するデータを送信する機能と、
を備える、集積回路。
【請求項１１】
基地局装置に実装される集積回路であって、
第１セルによりブロードキャストされた、サービングセルの周波数とは異なる周波数を用いる前記第１セルにおけるセル選択パラメータを含む第１システムインフォメーション、および端末装置が端末間通信を実行するための無線リソースプールを示す第２システムインフォメーションを送信する機能を備え、
前記無線リソースプールは、前記第１セルの測定結果と前記第１セルの前記セル選択パラメータとの関係がセル選択基準を満たす場合、タイミングアドバンス、リソースパターン、および端末間通信に関するデータを送信するために用いられる、
集積回路。
【発明の詳細な説明】
【技術分野】
【０００１】
本発明は、デバイス間通信を効率的に行うことが可能な端末装置、基地局装置、通信システム、通信方法および集積回路に関する。
本願は、２０１４年７月２２日に、日本に出願された特願２０１４−１４８３９９号に基づき優先権を主張し、その内容をここに援用する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）の標準化が行なわれた。ＥＵＴＲＡは、ＬＴＥ（Ｌｏｎｇ  Ｔｅｒｍ  Ｅｖｏｌｕｔｉｏｎ）とも称する場合がある。【０００３】
また、３ＧＰＰでは、より高速なデータ伝送を実現し、ＬＴＥに対して上位互換性を持つＬＴＥ  Ａｄｖａｎｃｅｄの検討を行っている（ＬＴＥ−Ａとも称する）。【０００４】
ＬＴＥ  Ａｄｖａｎｃｅｄにおいて、デバイス装置（端末装置）からデバイス装置（端末装置）へ直接通信を行う技術について検討されている。この、デバイス装置からデバイス装置への直接通信のことを、Ｄ２Ｄ（Ｄｅｖｉｃｅ  ｔｏ  Ｄｅｖｉｃｅ）、またはデバイス間通信と称する。なお、３ＧＰＰにおいて標準化されるＤ２Ｄのことを、特にＬＴＥ−Ｄ２Ｄ、またはＬＴＥ−Ｄｉｒｅｃｔとも称する。【０００５】
Ｄ２Ｄにおいて、近接した端末装置間のサービス（Ｐｒｏｘｉｍｉｔｙ  ｂａｓｅｄ  Ｓｅｒｖｉｃｅｓ：ＰｒｏＳｅ）を実現するために、近接している端末装置を発見（Ｄｉｓｃｏｖｅｒｙ）するための方法や、端末装置同士が直接通信（Ｄｉｒｅｃｔ  ｃｏｍｍｕｎｉｃａｔｉｏｎ）を可能とするための方法などが３ＧＰＰで検討されている（非特許文献１）。【０００６】
また、非特許文献２では、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）に興味のあるアイドル状態の端末装置が、ＭＢＭＳに関するサービス（ＭＢＭＳサービス）を提供している周波数にキャンプしている場合のみ、かかるＭＢＭＳに関するサービスの受信が可能である場合に、セル再選択手順において、このＭＢＭＳに関するサービスを提供している周波数の優先度を最も高くすることによって、かかるＭＢＭＳに関するサービスを継続可能とする方法などが記載されている。【０００７】
また、非特許文献３では、非特許文献２と同様の技術を用いることによって、Ｄ２Ｄに興味のあるアイドル状態の端末装置が、セル再選択手順においてＤ２Ｄの送受信が可能な周波数（Ｄ２Ｄのサービスを提供可能な周波数）の優先度を最も高くすることによって、Ｄ２Ｄに関するサービスの送信または受信を可能とする方法などが記載されている。
【先行技術文献】
【非特許文献】
【０００８】
【非特許文献１】３ＧＰＰ  ＴＳ  ３６．８４３  Ｖ１２．０．１（２０１４−０３）、ｈｔｔｐ：／／ｗｗｗ．３ｇｐｐ．ｏｒｇ／ＤｙｎａＲｅｐｏｒｔ／３６８４３．ｈｔｍ
【非特許文献２】３ＧＰＰ  ＴＳ  ３６．３０４  Ｖ１２．０．０（２０１４−０３）、ｈｔｔｐ：／／ｗｗｗ．３ｇｐｐ．ｏｒｇ／ＤｙｎａＲｅｐｏｒｔ／３６３０４．ｈｔｍ
【非特許文献３】Ｒ２−１４２６３１，ＬＧ  Ｅｌｅｃｔｒｏｎｉｃｓ  Ｉｎｃ．，  Ｋｏｒｅａ，  １９  −  ２３  Ｍａｙ  ２０１４．、ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８６／Ｄｏｃｓ／
【発明の概要】
【発明が解決しようとする課題】
【０００９】
Ｄ２Ｄに興味のあるアイドル状態の端末装置は、非特許文献３の方法を用いることよって、Ｄ２Ｄに関するサービスの送信または受信に興味がある場合に、Ｄ２Ｄの送信または受信が可能な周波数を優先的に選択することができる。しかしながら、Ｄ２Ｄに興味のある端末装置が数多く存在する場合、Ｄ２Ｄの送信または受信が可能な周波数（セル）に端末装置が集中してキャンプすることになり、かかる周波数（セル）の基地局装置のキャパシティを超えてしまう（オーバーロード）という問題がある。【００１０】
ただし、昨今のマルチバンドに対応した端末装置は、セル再選択やハンドオーバなどのセル間の移動を行なわずとも、Ｄ２Ｄをサポートする異周波数のセルでＤ２Ｄに関するサービスの送信または受信が可能であるかもしれない。しかしながら、このような異周波数のセルでのＤ２Ｄのサポートするための方法については、その詳細について議論はされていないようである。【００１１】
本発明のひとつの実施形態は、デバイス間通信を効率的に行うことが可能な端末装置、基地局装置、通信システム、通信方法および集積回路に関する。
【課題を解決するための手段】
【００１２】
本発明のひとつの実施形態における端末装置は、端末装置との直接通信が可能な端末装置であって、直接通信をサポートする異周波数の周辺セルの測定結果と、セル選択に用いられるセル選択基準と、基地局装置から取得した直接通信に関するシステムインフォメーションとに基づいて、前記異周波数の周辺セルに対し、前記システムインフォメーションで示される無線リソースプールを用いた直接通信を行う端末装置である。【００１３】
また、本発明の他の実施形態における端末装置は、異周波数の周辺セルの測定結果がセル選択基準を満たす場合、異周波数の周辺セルをカバレッジ内であるとみなし、システムインフォメーションで示される無線リソースプールを用いた直接通信を行う。【００１４】
また、本発明の他の実施形態における端末装置は、直接通信に関する送受信を異周波数の周辺セルで行う場合に、異周波数の周辺セルで送信される直接通信に関するシステムインフォメーションの更新情報に基づいて、異周波数の周辺セルにおけるシステムインフォメーションを再取得する。【００１５】
また、本発明の他の実施形態における基地局装置は、端末装置との直接通信が可能な端末装置に対し、セル選択に用いられるセル選択基準を通知し、セル選択基準を満たす異周波数の周辺セルの無線リソースプールを直接通信に関するシステムインフォメーションによって通知する。【００１６】
このような手段を用いることによって、端末装置は、デバイス間通信を効率的に行うことが可能となる。【００１７】
また、本発明の他の実施形態における基地局装置は、端末装置に対し、セル選択に用いられるセル選択基準を通知し、セル選択基準を満たす異周波数の周辺セルの無線リソースプールを直接通信に関するシステムインフォメーションによって通知し、端末装置は、異周波数の周辺セルの測定結果と、セル選択基準と、システムインフォメーションとに基づいて、異周波数の周辺セルに対し、システムインフォメーションで示される無線リソースプールを用いた直接通信を行う。【００１８】
このような手段を用いることによって、基地局装置は、デバイス間通信を効率的に行うことが可能となる。【００１９】
また、本発明の他の実施形態における通信方法は、端末装置との直接通信が可能な端末装置の通信方法であって、直接通信をサポートする異周波数の周辺セルの測定結果と、セル選択に用いられるセル選択基準と、基地局装置から取得した直接通信に関するシステムインフォメーションとに基づいて、異周波数の周辺セルに対し、システムインフォメーションで示される無線リソースプールを用いた直接通信を行うステップを含む。【００２０】
このような手段を用いることによって、基地局装置と端末装置を含む通信方法において、デバイス間通信を効率的に行うことが可能となる。【００２１】
また、本発明の他の実施形態における端末装置の通信方法は、異周波数の周辺セルの測定結果がセル選択基準を満たす場合、異周波数の周辺セルをカバレッジ内であるとみなし、システムインフォメーションで示される無線リソースプールを用いた直接通信を行うステップを更に含む。【００２２】
また、本発明の他の実施形態における端末装置の通信方法は、直接通信に関する送受信を異周波数の周辺セルで行う場合に、異周波数の周辺セルで送信される直接通信に関するシステムインフォメーションの更新情報に基づいて、異周波数の周辺セルにおけるシステムインフォメーションを再取得するステップを更に含む。【００２３】
このような手段を用いることによって、端末装置は、デバイス間通信を効率的に行う通信方法を備えることが可能となる。【００２４】
また、本発明の他の実施形態における基地局装置の通信方法は、端末装置との直接通信が可能な端末装置に対し、セル選択に用いられるセル選択基準を通知するステップと、セル選択基準を満たす異周波数の周辺セルの無線リソースプールを直接通信に関するシステムインフォメーションによって通知するステップを少なくとも備える。【００２５】
このような手段を用いることによって、基地局装置は、デバイス間通信を効率的に行なう通信方法を備えることが可能となる。【００２６】
また、本発明の他の実施形態における端末装置の集積回路は、直接通信をサポートする異周波数の周辺セルの測定結果と、セル選択に用いられるセル選択基準と、基地局装置から取得した直接通信に関するシステムインフォメーションとに基づいて、異周波数の周辺セルに対し、システムインフォメーションで示される無線リソースプールを用いた直接通信を行う機能を少なくとも端末装置に発揮させる。  【００２７】
また、本発明の他の実施形態における基地局装置の集積回路は、端末装置との直接通信が可能な端末装置に対し、セル選択に用いられるセル選択基準を通知し、セル選択基準を満たす異周波数の周辺セルの無線リソースプールを直接通信に関するシステムインフォメーションによって通知する機能を少なくとも基地局装置に発揮させる。【００２８】
このような手段を用いることによって、基地局装置の集積回路は、基地局装置に対し、デバイス間通信を効率的に行う機能を発揮させることが可能となる。【００２９】
本明細書では、デバイス間通信を効率的に行う端末装置、基地局装置、通信システム、通信方法および集積回路に関する技術という点において各実施形態を開示するが、各実施形態に対して適用可能な通信方式は、ＥＵＴＲＡ（ＬＴＥ、ＬＴＥ−Ａ）で使用される通信方式に限定されるものではない。【００３０】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００３１】
本発明の実施形態によれば、デバイス間通信を効率的に行う端末装置、基地局装置、通信システム、通信方法および集積回路に関する技術を提供することが出来る。
【図面の簡単な説明】
【００３２】
【図１】本発明の実施形態に関わる端末装置の概略構成の一例を示すブロック図である。
【図２】本発明の実施形態に関わる基地局装置の概略構成の一例を示すブロック図である。
【図３】本発明の実施形態に関わる端末装置におけるＤ２Ｄをサポートする異周波数での送受信に関する手順の一例を示した図である。
【図４】本発明の実施形態に関わる端末装置におけるＤ２Ｄをサポートする異周波数での送受信に関する手順の別の一例を示した図である。
【図５】本発明の実施形態に関わる端末装置における送受信が可能な周波数バンドの組み合わせの一例を示した図である。
【図６】本発明の実施形態に関わるシステムインフォメーションの更新手順の一例を示したフローチャート図である。
【図７】Ｄ２Ｄを送信する端末装置と、Ｄ２Ｄを受信する端末装置とがＤ２Ｄの通信を行う場合の一例を示したフローチャート図である。
【発明を実施するための形態】
【００３３】
本発明の各実施形態に関わる技術について以下に簡単に説明する。
【００３４】
[物理チャネル／物理シグナル]
ＥＵＴＲＡ（ＬＴＥ、ＬＴＥ−Ａ）で使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。なお、物理チャネルは、ＥＵＴＲＡ（ＬＴＥ、ＬＴＥ−Ａ）を発展させた通信システムにおいて、チャネル種別の追加、または、その構造やフォーマット形式が変更または追加される可能性があるが、そのような場合でも本発明の各実施形態の説明には影響しない。
【００３５】
ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３６】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３７】
物理報知情報チャネル（PBCH; Physical Broadcast Channel）は、セル内の端末装置で共通に用いられるマスター制御情報を通知（設定）する目的で送信される。基地局装置は、物理報知情報チャネルによってマスターインフォメーションブロック（MIB; Master information block）メッセージを通知（送信）する。マスターインフォメーションブロックメッセージで端末装置に通知（設定）される情報は、下りリンク周波数帯域幅、システムフレームナンバー、およびＨｙｂｒｉｄ  ＡＲＱに関する物理チャネル（ＰＨＩＣＨ）の設定情報である。
【００３８】
基地局装置は、サブフレーム位置と周期が静的に定まる（pre-defined）システムインフォメーションブロック  タイプ１（SIB1; System information block Type1）メッセージと、レイヤ３メッセージ（ＲＲＣメッセージ）であって、システムインフォメーションブロック  タイプ１で指定されるシステムインフォメーションウィンドウ（ＳＩ−ｗｉｎｄｏｗ）内で動的にスケジューリングされるシステムインフォメーションメッセージと、を用いてマスターインフォメーションブロック以外のセル共通情報（報知情報）を端末装置に送信する。
【００３９】
システムインフォメーションメッセージは、物理下りリンク制御チャネルで示される無線リソースにおいて物理下りリンク共用チャネルを用いて通知され、その用途に応じて分類された報知情報（システムインフォメーションブロック  タイプ２〜タイプｎ（ＳＩＢ２〜ＳＩＢｎ（ｎは自然数）））の一つを対応するシステムインフォメーションウィンドウ内で送信する。
【００４０】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報、タイミング調整情報、セル毎の共通無線リソース設定情報、同周波数（異周波数、異ＲＡＴ）の周辺セル情報（Neighboring cell list）、上りリンクアクセス制限情報などが通知される。
【００４１】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと一緒に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００４２】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）と称され、物理下りリンク制御チャネル、拡張物理下りリンク制御チャネル、または物理下りリンク共用チャネルを復調するときのチャネルの伝搬路補償処理のために参照される。
【００４３】
物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する制御情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００４４】
端末装置は、レイヤ２メッセージ（ＭＡＣ−ＣＥ）およびレイヤ３メッセージ（ページング、システムインフォメーションなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。Ｄ２Ｄをサポートする場合、物理下りリンク制御チャネルはＤ２Ｄグラントを通知することができる。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４５】
物理上りリンク制御チャネル（PUCCH; Physical Uplink Control Channel）は、物理下りリンク共用チャネルで送信された下りリンクデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４６】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００４７】
物理下りリンク共用チャネル（PDSCH; Physical Downlink Shared Channel）は、下りリンクデータの他、ページングやシステムインフォメーションなどのレイヤ３メッセージを端末装置に通知するためにも使用される。物理下りリンク共用チャネルの無線リソース割り当て情報は、物理下りリンク制御チャネルで示される（通知される）。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重される。
【００４８】
物理上りリンク共用チャネル（PUSCH; Physical Uplink Shared Channel）は、主に上りリンクデータと上りリンク制御データを送信し、ＣＳＩやＡＣＫ／ＮＡＣＫなどの制御データを含めることも可能である。また、上りリンクデータの他、上りリンク制御情報をレイヤ２メッセージおよびレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００４９】
上りリンクリファレンスシグナル（上りリンク参照信号；Uplink Reference Signal（上りリンクパイロット信号、上りリンクパイロットチャネルとも呼称する））は、基地局装置が、物理上りリンク制御チャネルＰＵＣＣＨおよび／または物理上りリンク共用チャネルＰＵＳＣＨを復調するために使用する復調参照信号（DMRS; Demodulation Reference Signal）と、基地局装置が、主に、上りリンクのチャネル状態を推定するために使用するサウンディング参照信号（SRS; Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００５０】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００５１】
端末装置は、物理上りリンク制御チャネル未設定時の上りリンクの無線リソース要求のため、または、上りリンク送信タイミングを基地局装置の受信タイミングウィンドウに合わせるために必要なタイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。なお、Ｄ２Ｄの場合は、別の端末装置への送信のためにもＴＡを用いて送信タイミングの調整を行う。基地局装置に対するＴＡ（第１のタイミング調整情報）と、Ｄ２Ｄに関するＴＡ（Ｄ２Ｄ−ＴＡ（第２のタイミング調整情報））は、同じでも異なってもよい。
【００５２】
Ｄ２Ｄ−ＴＡは、報知情報によってセル内で同じ値が通知されてもよいし、基地局装置から端末装置に対して個別に通知されてもよい。また、Ｄ２Ｄ−ＴＡは、ＴＡと同様に、基地局装置からの信号（例えば、ＭＡＣ制御要素など）によってタイミング（値）が調整されるように構成されていてもよい。
【００５３】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００５４】
Ｄ２Ｄに関する物理チャネルとして、Ｄ２Ｄ同期シグナル（Ｄ２ＤＳＳ；Ｄ２Ｄ  Ｓｙｎｃｈｏｎｉｚａｔｉｏｎ  Ｓｉｇｎａｌ）と、物理Ｄ２Ｄ同期チャネル（ＰＤ２ＤＳＣＨ；Ｐｈｙｓｉｃａｌ  Ｄ２Ｄ  Ｓｙｎｃｈｏｎｉｚａｔｉｏｎ  Ｃｈａｎｎｅｌ）などを用いることが検討されている。Ｄ２Ｄ同期シグナルは、ＰＤ２ＤＳＳ（Ｐｒｉｍａｒｙ  Ｄ２ＤＳＳ）と、ＳＤ２ＤＳＳ（Ｓｅｃｏｎｄａｒｙ  Ｄ２ＤＳＳ）の２つの同期シグナルとで構成される。
【００５５】
また、物理Ｄ２Ｄ同期チャネルは、Ｄ２Ｄを送信する端末装置から送信され、Ｄ２Ｄに関する制御情報（たとえば、送信する端末装置に関する同期ＩＤ、リソースプール、システム帯域幅、ＴＤＤサブフレーム設定など）や、Ｄ２Ｄフレーム番号などを通知する目的で送信されることが検討されている。
【００５６】
また、Ｄ２Ｄを送信する端末装置が、Ｄ２Ｄを受信する端末装置に対してスケジューリング割り当て（Ｓｃｈｅｄｕｌｉｎｇ  ａｓｓｉｇｎｍｅｎｔｓ：ＳＡ）を送信することが検討されている。ＳＡは、Ｄ２Ｄに関する送信データに関するタイミング調整情報（Ｄ２Ｄ  Ｒｅｃｅｐｔｉｏｎ  Ｔｉｍｉｎｇ  Ａｄｖａｎｃｅ（Ｄ２Ｄ−ＴＡ））、Ｄ２Ｄの内容（種別）を識別するＩＤ情報、かかるＩＤ情報に対応する送信データの無線リソースのパターン（ＲＰＴ；Ｒｅｓｏｕｒｃｅ  Ｐａｔｔｅｒｎｓ  ｆｏｒ  Ｔｒａｎｓｍｉｓｓｉｏｎ）などを明示的、または暗黙的に通知することができる。
【００５７】
ＳＡを受信した端末装置は、Ｄ２Ｄ同期シグナルから取得したタイミングと、ＳＡに含まれるタイミング調整情報とに基づいてＤ２Ｄに関する送信データの受信タイミングを調整して受信することができる。なお、Ｄ２Ｄに関する送信データのタイミング調整情報は、ＰＤ２ＤＳＣＨで送信してもよい。
【００５８】
また、ＲＰＴによって示されるＤ２Ｄに関する送信データの情報は、帯域幅情報、周波数領域のリソース情報、周波数ホッピング情報、時間領域のリソース情報などがある。Ｄ２Ｄを送信する端末装置は、ＳＡ、および、Ｄ２Ｄに関する送信データを通知する物理チャネルとしてＰＵＳＣＨを用いてもよいし、それぞれ専用の物理チャネルを割り当ててもよい。ＰＵＳＣＨを用いる場合、Ｄ２Ｄを受信する端末装置は、対応する周波数でＰＵＳＣＨを受信し、デコードを行う必要がある。
【００５９】
なお、それ以外の物理チャネルまたは物理シグナルは、本発明の各実施形態と強く関わらないため詳細な説明は省略する。説明を省略した物理チャネルまたは物理シグナルとして、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、物理ＨＡＲＱ指示チャネル（ＰＨＩＣＨ：Ｐｈｙｓｉｃａｌ  Ｈｙｂｒｉｄ  ＡＲＱ  Ｉｎｄｉｃａｔｏｒ  ＣＨａｎｎｅｌ）、物理マルチキャストチャネル（ＰＭＣＨ：Ｐｈｙｓｉｃａｌ  Ｍｕｌｔｉｃａｓｔ  ＣＨａｎｎｅｌ）などがある。
【００６０】
[無線ネットワーク、セル種別]
基地局装置によって制御される各周波数の通信可能範囲（通信エリア）はセルとしてみなされる。このとき、基地局装置がカバーする通信エリアは周波数毎にそれぞれ異なる広さ、異なる形状であってもよい。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００６１】
端末装置は、端末装置のアクセスが基地局装置から通知される報知情報に基づいて禁止されていないと判断したセルであって、かつ、下りリンクの受信品質が所定の条件を満足し、その結果、かかるセルにキャンプすることによって、通常のサービスが許可されるセルを適切なセル（Suitable cell）とみなしてよい。端末装置が、キャンプしているセルから他のセルへ移動するときは、非無線リソース制御接続状態（アイドル状態（Idle mode）、非通信中）はセル再選択手順、無線リソース制御接続時（コネクティッド状態（Connected mode）、通信中）はハンドオーバ手順によって移動が行われる。
【００６２】
端末装置は、セル選択（セル再選択）手順によって適切なセルと判断されなかったセルを、一部のサービスのみが許可されているセル（制限セル）とみなしてよい。なお、端末装置は制限セルであってもキャンプすることができる。一部のサービスとは、たとえば緊急呼通信（Emergency call）である。端末装置は、セルにキャンプしている状態（アイドル状態）、または、あるセルにおいてコネクティッド状態にあるとき、基地局装置と通信可能なエリアに位置している、すなわち、セルのサービス区域内（カバレッジ内（in-coverage））である、と判断してよい。
【００６３】
基地局装置は、周波数毎に１つ以上のセルを管理している。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００６４】
端末装置がある基地局装置と通信可能であるとき、その基地局装置のセルのうち、端末装置との通信に使用されるセルは在圏セル（Serving cell）であり、その他の通信に使用されないセルは周辺セル（Neighboring cell）と称される。
【００６５】
在圏セルの周波数は、同周波数（Intra-frequency）とも在圏周波数（Serving frequency）とも称される。同周波数ではない周波数は異周波数（Inter-frequency）と称される。キャリア・アグリゲーションなどによって、端末装置に対して複数の在圏セルが設定されている場合、対応する在圏周波数も複数あるとみなされる。
【００６６】
[キャリア・アグリゲーション]
端末装置と基地局装置は、複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術（キャリア・アグリゲーション）を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。なお、キャリア・アグリゲーションは、複数のコンポーネントキャリア（周波数帯域）を用いた複数の在圏セルによる通信であり、セル・アグリゲーションとも称される。
【００６７】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００６８】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅であってもよい。
【００６９】
端末装置と基地局装置は、ある上りリンクコンポーネントキャリアと、当該上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。プライマリセルの周波数をプライマリ周波数と称し、セカンダリセルの周波数をセカンダリ周波数と称する。
【００７０】
端末装置は、プライマリセルにおいて、ページングメッセージの受信、報知情報の更新の検出、ランダムアクセス手順、セキュリティ情報の設定などを行う一方、セカンダリセルではこれらを行わなくてもよい。プライマリセルとセカンダリセルとを合わせてサービングセル（在圏セル）と称する。すなわち、複数のコンポーネントキャリア（セル）を集約している場合、端末装置は、複数の在圏セルを持つことになる。
【００７１】
在圏セルの状態に関し、活性化されている状態をＡｃｔｉｖａｔｅｄ  ｓｔａｔｅ、不活性化されている状態をＤｅａｃｔｉｖａｔｅｄ  ｓｔａｔｅとも称する。プライマリセルは、活性化（Ａｃｔｉｖａｔｉｏｎ）および不活性化（Ｄｅａｃｔｉｖａｔｉｏｎ）の制御の対象外であるが（つまり、プライマリセルは必ず活性化しているとみなされる）、セカンダリセルは活性化と不活性化というアクティビティに応じたセルの状態（ｓｔａｔｅ）を持つ。
【００７２】
また、プライマリセルの一部の機能を実現可能なように構成される特別なセカンダリセルのことをプライマリセカンダリセル（Ｐｒｉｍａｒｙ  ＳＣｅｌｌ（ＰＳＣｅｌｌ）とも称する。例えば、プライマリセカンダリセルは、プライマリセルと同様に非活性化されず、物理上りリンク制御チャネルの設定がなされたり、コンテンションベースのランダムアクセス手順が実行されたりするセルである。なお、プライマリセカンダリセルは、プライマリセルやセカンダリセルと同様に、在圏セルとみなされる。
【００７３】
在圏セルの状態は、基地局装置から明示的に状態の変更が指定（通知、指示）される場合もあるし、コンポーネントキャリア（セル）毎に端末装置が計時するタイマー情報（不活性化タイマー；ディアクティベーションタイマー）に基づいて状態が変更される場合もある。
【００７４】
[Ｄ２Ｄ]
Ｄ２Ｄの基本的な技術について簡単に説明する。
【００７５】
Ｄ２Ｄは、近接している端末装置を発見するための技術（Ｄｉｓｃｏｖｅｒｙ）と、端末装置が一つまたは複数の端末装置と直接通信を行うための技術（Ｄｉｒｅｃｔ  ｃｏｍｍｕｎｉｃａｔｉｏｎ（Ｃｏｍｍｕｎｉｃａｔｉｏｎとも称する））とに少なくとも分けられる。
【００７６】
Ｄ２Ｄにおいて、端末装置が使用するＤ２Ｄに関するリソース（無線リソース）や設定（コンフィグレーション）は、基地局装置によって設定（制御）されてもよい。すなわち、端末装置が非無線リソース制御接続状態（アイドル状態）にある場合は、報知情報によってＤ２Ｄに関する無線リソースや設定がセル毎に通知されてもよく、端末装置が無線リソース制御接続状態（コネクティッド状態）にある場合は、ＲＲＣメッセージによってＤ２Ｄに関する無線リソースや設定が通知されてもよい。
【００７７】
すなわち、Ｄ２Ｄは、端末装置同士の直接通信が可能な（Ｄ２Ｄ  ｃａｐａｂｌｅ、Ｄ２Ｄ  ｓｕｐｐｏｒｔｅｄ）端末装置と、かかる端末装置同士の直接通信のためのリソースを制御可能な基地局装置によって実現されるかもしれない。あるいは、Ｄ２Ｄは、端末装置同士の直接通信が可能な端末装置の事前設定（Ｐｒｅ−ｃｏｎｆｉｇｕｒａｔｉｏｎ）によって実現されるかもしれない。
【００７８】
また、Ｄｉｒｅｃｔ  Ｃｏｍｍｕｎｉｃａｔｉｏｎにおいて、スケジューリング割り当て（Ｓｃｈｅｄｕｌｉｎｇ  ａｓｓｉｇｎｍｅｎｔｓ：ＳＡ）を送信するための無線リソースは、ＳＡ用にプールされたリソースプール（ＳＡリソースプール）の中から端末装置に提供される。Ｄ２Ｄを送信する端末装置は、リソースプールに含まれる無線リソース（時間、および周波数）でＳＡを送信する。Ｄ２Ｄを受信する端末装置は、リソースプールに含まれる無線リソース（時間、および周波数）でＳＡを受信する。
【００７９】
また、Ｄｉｒｅｃｔ  Ｃｏｍｍｕｎｉｃａｔｉｏｎにおいて、Ｄ２Ｄに関する送信データを送信するための無線リソースは、Ｄ２Ｄに関する送信データ（Ｄ２Ｄデータ）用にプールされたリソースプール（Ｄ２Ｄデータリソースプール）の中から端末装置に提供される。Ｄ２Ｄを送信する端末装置はリソースプールから指定される無線リソース（時間、および周波数）を用いてＤ２Ｄに関する送信データを送信する。また、Ｄ２Ｄを受信する端末装置はリソースプールから指定される無線リソース（時間、および周波数）を用いてＤ２Ｄに関する送信データを受信する。リソースプールは、周波数情報、割り当てられるリソースブロックの範囲を示す情報や、リソースプールが開始されるフレーム番号またはサブフレーム番号とオフセット値の情報などによって示されてもよい。
【００８０】
ここで、ＳＡに用いられる無線リソースがプールされたリソースプール（第１のリソースプール）と、Ｄ２Ｄに関する送信データに用いられる無線リソースがプールされたリソースプール（第２のリソースプール）は、報知情報によって予め設定（予約）されていてもよいし、基地局装置から端末装置ごとに個別に通知（あるいは報知）されてもよいし、他の端末装置から通知（あるいは報知）されてもよいし、事前設定（ｐｒｅ−ｃｏｎｆｉｇｕｒｅｄ）されていてもよいし、準静的（ｓｅｍｉ−ｓｔａｔｉｃ）に割り当てられていてもよい。
【００８１】
事前設定によって割り当てられる場合、かかる設定は、典型的にはＳＩＭ（Ｓｕｂｓｃｒｉｂｅｒ  Ｉｄｅｎｔｉｔｙ  Ｍｏｄｕｌｅ）に記録されてもよい。ＳＩＭはハードウェアによって提供されるＩＣカードでも良いし、ソフトウェアによって提供されてもよい。
【００８２】
ここで、端末装置に対してリソースプールからＤ２Ｄに関する無線リソース（ＳＡ、Ｄ２Ｄに関する送信データ）を割り当てる方法として、端末装置が基地局装置へＤ２Ｄに関する送信データがあることを通知することによって、基地局装置から端末装置に対して個別に無線リソースを割り当てる方法（Ｍｏｄｅ１あるいはスケジュール型（Ｓｃｈｅｄｕｌｅｄ）とも称する）を用いてもよいし、また、端末装置が報知情報や予め設定（予約）されたリソースプールから、ある規則に従って（または、ランダムに）無線リソースを選択して用いる方法（Ｍｏｄｅ２あるいは自律型（Ａｕｔｏｎｏｍｏｕｓ）とも称する）を用いてもよい。
【００８３】
Ｍｏｄｅ１は、端末装置が基地局装置のカバレッジ内とみなされる範囲に位置しているときに使用され、Ｍｏｄｅ２は端末装置が基地局装置のカバレッジ内とみなされる範囲に位置していない（カバレッジ外（out-of-coverage））ときに使用されるＤｉｒｅｃｔ  Ｃｏｍｍｕｎｉｃａｔｉｏｎのモードである。なお、端末装置は、基地局装置から割り当てられた無線リソース（すなわちＭｏｄｅ１）を用いている場合であっても、ＲＲＣ無線リソース再接続手順中において、端末装置が選択した無線リソース（すなわちＭｏｄｅ２）を一時的に用いる場合がある。
【００８４】
図７は、Ｄ２Ｄを送信する端末装置１−１（Ｄ２Ｄ  ｔｒａｎｓｍｉｓｓｉｏｎ  ＵＥ）と、Ｄ２Ｄを受信する端末装置１−２（Ｄ２Ｄ  ｒｅｃｅｐｔｉｏｎ  ＵＥ）とがＤ２Ｄの通信を行う場合の一例を示したフローチャート図である。
【００８５】
図７において、まず、端末装置１−１は、基地局装置２のセルにキャンプしたときに、ＲＲＣメッセージであるシステムインフォメーションメッセージを受信する（ステップＳ１００）。システムインフォメーションメッセージは、Ｄ２Ｄに関する設定情報（例えば、Ｄ２ＤＳＳ設定情報、ＰＤ２ＤＳＣＨ設定情報、周辺セルのＤ２Ｄ情報、ＳＡ用のリソースプール情報、Ｄ２Ｄに関する送信データ用のリソースプール情報、Ｍｏｄｅ１／Ｍｏｄｅ２の許可情報、など）を端末装置１−１と端末装置１−２とに通知する目的で用いられる。これらの情報は、基地局装置２から、ある独立したシステムインフォメーションブロック（例えばＳＩＢ１８）で送信されてもよいし、端末装置１−１（端末装置１−２）が通信中であれば、個別のＲＲＣメッセージで送信されてもよい。
【００８６】
次に、端末装置１−１は、Ｄ２Ｄに興味のある場合、受信したシステムインフォメーションメッセージの情報に基づき、セル選択処理を行う（ステップＳ１０１）。このセル選択処理において、端末装置１−１のＲＦ（Ｒａｄｉｏ  Ｆｒｅｑｕｅｎｃｙ）回路が対応する上りリンクバンドでＤ２Ｄをサポートしているかを示す報知情報に従って、必要であれば端末装置１−１がキャンプセルを変更する。
【００８７】
ステップＳ１０１は端末装置１−２でも同様に実行される。すなわち、端末装置１−２は、Ｄ２Ｄに興味のある場合、受信したシステムインフォメーションメッセージの情報に基づき、端末装置１−２のＲＦ（Ｒａｄｉｏ  Ｆｒｅｑｕｅｎｃｙ）回路が対応する上りリンクの周波数（周波数バンド）でＤ２Ｄをサポートしているかを示す報知情報に従って、必要であればセル選択処理を行う。
【００８８】
続いて、端末装置１−１はＤ２Ｄの通信処理を開始する（ステップＳ１０２）。より具体的には、端末装置１−１は、Ｄ２ＤＳＳとＰＤ２ＤＳＣＨの送信符号やデータを決定し、アイドル状態の端末装置１−１に対して利用可能なリソースプール（すなわち、アイドル状態の端末装置１−１によって選択されうるリソースプール）からＤ２Ｄに関する無線リソースを選択する。
【００８９】
なお、端末装置１−１は、基地局装置２においてＭｏｄｅ２でのＤ２Ｄが許可されていない場合、Ｍｏｄｅ１のＤ２Ｄを行うために、基地局装置２に対し無線リソース制御接続確立（ＲＲＣ接続確立、ＲＲＣ  Ｃｏｎｎｅｃｔｉｏｎ  Ｅｓｔａｂｌｉｓｈｍｅｎｔ）手順を開始し、コネクティッド状態においてＤ２Ｄを開始するが、図では省略する。
【００９０】
端末装置１−１は、Ｄ２Ｄを送信可能な上りリンクバンド（上りリンク周波数）でＤ２ＤＳＳの送信（ステップＳ１０３）と、ＰＤ２ＤＳＣＨの送信（ステップＳ１０４）を行う。なお、ＰＤ２ＤＳＣＨは送信されない場合もある。端末装置１−２は、ステップＳ１０５のＤ２Ｄ同期信号処理において、端末装置１−１が送信したＤ２ＤＳＳ（ＰＤ２ＤＳＣＨ）を受信（検出）した場合、端末装置１−１の存在を検出（Ｄｉｓｃｏｖｅｒｙ）するとともに、端末装置１−１からのＤ２Ｄに関する送信データを受信するため、Ｄ２Ｄに関する無線同期を確立（調整）する。
【００９１】
また、端末装置１−１は、ＳＡ用のリソースプール情報で示されるリソースから、ＳＡ用のリソースを選択し、端末装置１−２に対して選択したリソースを用いてＳＡを送信（ステップＳ１０６）する。なお、Ｍｏｄｅ１の場合は、基地局装置２からＤ２Ｄグラントを用いて端末装置１−１が用いるＳＡ用のリソースが指示される。また、端末装置１−１は、送信データ用のリソースプール情報から、選択した（あるいは通知された）ＳＡに基づいて送信データ用のリソースを選択し、端末装置１−２に対して選択したリソースを用いてＤ２Ｄに関するデータを送信（ステップＳ１０７）する。
【００９２】
また、端末装置１−２は、ＳＡ用のリソースプール情報で示されるリソースにおいて、端末装置１−１が送信するＳＡを受信（モニタ）する。また、端末装置１−２は、送信データ用のリソースプール情報における、ＳＡで示されるリソースにおいて、端末装置１−１が送信するＤ２Ｄに関するデータを受信（モニタ）する。Ｄ２Ｄに関するデータを受信（モニタ）するタイミングは、端末装置１−２がＳＡを受信したタイミングに対し、Ｄ２Ｄに関するＴＡ（Ｄ２Ｄ−ＴＡ）によるタイミング調整を行った位置を受信タイミングとして用いても良い。また、Ｄ２Ｄ−ＴＡは、Ｍｏｄｅ１のＤ２Ｄの場合にのみ適用してもよい。
【００９３】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００９４】
＜第１の実施形態＞
本発明の第１の実施形態について以下に説明する。
【００９５】
図１は、本発明の第１の実施形態における端末装置１の一例を示すブロック図である。本端末装置１は、受信部１０１、復調部１０２、復号部１０３、受信データ制御部１０４、物理レイヤ制御部１０５、送信データ制御部１０６、符号部１０７、変調部１０８、送信部１０９、無線リソース制御部１１０、送信アンテナＴ０１、受信アンテナＲ０１から少なくとも構成される。図中の「〜部」とは、セクション、回路、構成装置、デバイス、ユニットなど用語によっても表現される、端末装置１の機能および各手順を実現する要素である。
【００９６】
なお、Ｄ２Ｄが可能な（または、Ｄ２Ｄに興味のある、Ｄ２Ｄをサポートする）端末装置１のことを、単に端末装置１と略して説明する場合がある。なお、端末装置１は、Ｄ２Ｄに関する通信において、Ｄ２Ｄを送信する端末装置１（Ｄ２Ｄ  ｔｒａｎｓｍｉｓｓｉｏｎ（図７の端末装置１−１））と、Ｄ２Ｄを受信する端末装置１（Ｄ２Ｄ  ｒｅｃｅｐｔｉｏｎ（図７の端末装置１−２））のいずれにもなりえる。
【００９７】
無線リソース制御部１１０は、端末装置１の無線リソース制御を執り行うＲＲＣ（Ｒａｄｉｏ  Ｒｅｓｏｕｒｃｅ  Ｃｏｎｔｒｏｌ）層の各機能を実行する。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行する。
【００９８】
なお、端末装置１は、複数の周波数（周波数帯、周波数帯域幅）または、ある一つのセルの同一サブフレーム内での受信処理と送信処理を並行して（同時に：simultaneously）サポートするために受信系のブロック（受信部１０１、復調部１０２、復号部１０３、受信アンテナＲ０１）、および複数の周波数（周波数帯、周波数帯域幅）、および送信系のブロック（符号部１０７、変調部１０８、送信部１０９、送信アンテナＴ０１）の一部あるいはすべてを複数備える構成であってもよい。
【００９９】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【０１００】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【０１０１】
受信制御情報は、下りリンクスケジューリング情報として、受信周波数帯域の情報、物理チャネルと物理シグナルに関する受信タイミング、多重方法、無線リソース制御情報、ＳＡリソースプール情報、Ｄ２Ｄリソースプール情報、Ｄ２Ｄに関する送信タイミング（またはＤ２Ｄに関するタイミング調整情報であるＤ２Ｄ−ＴＡ）などの情報が含まれてもよい。また、受信データ制御情報は、セカンダリセル不活性化タイマー情報、ＤＲＸ制御情報、マルチキャストデータ受信情報、下りリンク再送制御情報、ＳＡ受信制御情報、Ｄ２Ｄ受信制御情報などを含む下りリンクの制御情報であり、ＭＡＣ層、ＲＬＣ層、ＰＤＣＰ層におけるそれぞれの下りリンクに関する制御情報が含まれている。
【０１０２】
受信信号は、受信アンテナＲ０１を経由して受信部１０１において受信される。Ｄ２Ｄの場合、受信信号は、端末装置１が送信した送信信号である場合がある。受信部１０１は、受信制御情報で通知された周波数と周波数帯域に従って基地局装置２（または端末装置１）からの信号を受信する。受信された信号は復調部１０２へと入力される。復調部１０２は信号の復調を行う。復調部１０２は、復号部１０３へと復調後の信号を入力する。
【０１０３】
復号部１０３は、入力された信号を復号し、復号された各データ（下りリンクデータと下りリンク制御データ、下りリンクトランスポートブロックとも称す）を受信データ制御部１０４へと入力する。また、各データと共に基地局装置２から送信されたＭＡＣ制御要素（ＭＡＣ−ＣＥ）も復号部１０３で復号され、関係するデータは受信データ制御部１０４へと入力される。
【０１０４】
受信データ制御部１０４は、受信したＭＡＣ制御要素に基づく物理レイヤ制御部１０５の制御（例えば、セルの活性化／不活性化、ＤＲＸ制御、送信タイミング調整など）や、復号された各データをバッファリングし、再送されたデータの誤り訂正制御（ＨＡＲＱ）を行う。受信データ制御部１０４へ入力された各データは、関係するデータは無線リソース制御部１１０へと入力（転送）される。
【０１０５】
また、受信データ制御部１０４は、受信部１０１などで受信された同期シグナルの受信タイミングから、端末装置１の受信タイミング（フレーム同期、サブフレーム同期、シンボル同期など）を調整する。受信タイミングは、物理レイヤ制御部１０５において管理され受信部１０１または送信部１０９にフィードバックされることによって、下りリンク同期、および／または上りリンク同期が適宜調整される。
【０１０６】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。
【０１０７】
送信制御情報は、上りリンクスケジューリング情報として、符号化情報、変調情報、送信周波数帯域の情報、物理チャネルと物理シグナルに関するタイミング情報（またはＴＡ）、多重方法、無線リソース配置情報、ＳＡリソースプール情報、Ｄ２Ｄリソースプール情報、Ｄ２Ｄに関するタイミング情報（またはＤ２Ｄ−ＴＡ）などの情報が含まれている。
【０１０８】
また、送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報、バッファステータスレポート、Ｄ２Ｄ送信制御情報などを含む上りリンクの制御情報である。無線リソース制御部１１０は、複数のセルにそれぞれ対応した複数のランダムアクセス設定情報を送信データ制御部１０６に設定してもよい。
【０１０９】
また、無線リソース制御部１１０は、上りリンク送信タイミングの調整に用いるタイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。タイミング調整情報と送信タイミングタイマーは、送信データ制御情報に含まれる。
【０１１０】
なお、複数の上りリンク送信タイミングの状態を管理する必要がある場合、送信データ制御部１０６は、複数のそれぞれのセル（またはセルグループ、ＴＡグループ）の上りリンク送信タイミングに対応するタイミング調整情報を管理する。さらに、送信データ制御部１０６は、必要であればＤ２Ｄに関する送信タイミングの状態も管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１１１】
端末装置１で生起した送信データ（上りリンクデータと上りリンク制御データ、上りリンクトランスポートブロックとも称す）は、無線リソース制御部１１０（または、非アクセス層レイヤ部（図示せず）などの上位レイヤ部）より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【０１１２】
また、送信データ制御部１０６は、送信データが入力されたときに、送信データ制御部１０６内の上りリンクバッファ（図示せず）に送信データを格納する。また、送信データ制御部１０６は、上りリンクバッファに格納された送信データの優先度などに基づき、多重化およびアセンブルを行ないＭＡＣ  ＰＤＵを生成する。そして、送信データ制御部１０６は、入力された送信データの送信に必要な無線リソースが端末装置１に対して割り当てられているかを判断する。
【０１１３】
送信データ制御部１０６は、無線リソース割り当てに基づいて、物理上りリンク共用チャネルＰＵＳＣＨ、物理上りリンク制御チャネル（ＳＲ−ＰＵＣＣＨ）を用いた無線リソース要求、または物理ランダムアクセスチャネルを用いた無線リソース要求のいずれか一つを選択し、選択したチャネルを送信するための制御処理を物理レイヤ制御部１０５に対して要求する。
【０１１４】
ここで、送信データ制御部１０６は、入力された送信データが基地局装置２に対する通常の送信データであるか、または、別の端末装置１に対するＤ２Ｄに関する送信データであるかに基づいて、それぞれ異なるバッファステータスレポートを生成する。換言すれば、送信データ制御部１０６は、通常の送信データのバッファ量に基づくバッファステータスレポート（通常のバッファステータスレポート（Ｎｏｒｍａｌ  ＢＳＲ）、第１のバッファステータスレポート）と、Ｄ２Ｄに関する送信データのバッファ量に基づくバッファステータスレポート（Ｄ２Ｄ用のバッファステータスレポート（ＰｒｏＳｅ  ＢＳＲ）、第２のバッファステータスレポート）を生成する。また、符号部１０７は、送信制御情報に従って各データを適切に符号化し、変調部１０８へと入力する。
【０１１５】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）のタイミング調整情報に従って上りリンク送信タイミングを調整し、送信アンテナＴ０１を経由して信号を送信する。
【０１１６】
また、必要であれば、必要であればＤ２Ｄに関するタイミング調整情報に従ってＤ２Ｄに関する送信データの送信タイミング（受信タイミング）を調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【０１１７】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位層には、コアネットワークとの制御を執り行う非アクセス層（Ｎｏｎ  Ａｃｃｅｓｓ  Ｓｔｒａｔｕｍ）レイヤ部や、アプリケーションレイヤ部が存在している。
【０１１８】
図２は、本発明の第１の実施形態による基地局装置２の一例を示すブロック図である。本基地局装置は、受信部２０１、復調部２０２、復号部２０３、受信データ制御部２０４、物理レイヤ制御部２０５、送信データ制御部２０６、符号部２０７、変調部２０８、送信部２０９、無線リソース制御部２１０、ネットワーク信号送受信部２１１、送信アンテナＴ０２、受信アンテナＲ０２から少なくとも構成される。図中の「〜部」とは、セクション、回路、構成装置、デバイス、ユニットなど用語によっても表現される、基地局装置２の機能および各手順を実現する要素である。
【０１１９】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行する。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行する。
【０１２０】
なお、基地局装置２は、キャリア・アグリゲーションなどによる複数の周波数（周波数帯、周波数帯域幅）またはセルの同一サブフレーム内での送受信処理をサポートするために受信系のブロック（受信部２０１、復調部２０２、復号部２０３、受信アンテナＲ０２）、および複数の周波数（周波数帯、周波数帯域幅）、および送信系のブロック（符号部２０７、変調部２０８、送信部２０９、送信アンテナＲ０２）の一部あるいはすべてを複数備える構成であってもよい。
【０１２１】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１２２】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行い、送信アンテナＴ０２を経由して信号を送信する。下りリンク制御データが配置される物理下りリンク共用チャネルは、典型的にはレイヤ３メッセージ（ＲＲＣメッセージ）を構成する。
【０１２３】
また、受信部２０１は、端末装置１から受信アンテナＲ０２を経由して受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へと入力される。
【０１２４】
復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、関係するデータは受信データ制御部２０４へと入力される。
【０１２５】
受信データ制御部２０４は、受信したＭＡＣ制御要素に基づく物理レイヤ制御部２０５の制御（例えば、パワーヘッドルームレポートに関する制御や、バッファステータスレポートに関する制御など）や、復号された各データをバッファリングし、再送されたデータの誤り訂正制御（ＨＡＲＱ）を行う。受信データ制御部２０４へ入力された各データは、必要に応じて無線リソース制御部２１０へと入力（転送）される。
【０１２６】
また、受信データ制御部２０４は、端末装置１からバッファステータスレポートが復号部２０３から入力された場合、自基地局装置との通信のための送信リソース要求かデバイス間データ通信のための送信リソース要求かを判別し、該端末装置１に割り当てる送信リソースを設定する。
【０１２７】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１２８】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１２９】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１３０】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１３１】
図３と図４は、Ｄ２Ｄをサポートする周波数（周波数バンド）のセルと、かかるセル以外の周波数における、端末装置１のＤ２Ｄの送受信に関わる通信方法の一例を示した図である。
【０１３２】
それぞれの図の横軸は時間の経過を示しており、図の下段は端末装置１の在圏セルの下りリンク周波数（ＤＬ  ｆｒｅｑｕｅｎｃｙ＃０）での端末装置１の動作のタイミングを示し、図の中段は、端末装置１の在圏セルの上りリンク周波数（ＵＬ  ｆｒｅｑｕｅｎｃｙ＃０）におけるＤ２Ｄのリソースプールの領域を示し、図の上段は、端末装置１の在圏セルの上りリンク周波数（ＵＬ  ｆｒｅｑｕｅｎｃｙ＃０）とは異なる、Ｄ２Ｄをサポートする上りリンク周波数（ＵＬ  ｆｒｅｑｕｅｎｃｙ＃１）におけるＤ２Ｄのリソースプールの領域を示す。なお、ＴＤＤであれば、在圏セルにおける下りリンク周波数（ＤＬ  ｆｒｅｑｕｅｎｃｙ＃０）と上りリンク周波数（ＵＬ  ｆｒｅｑｕｅｎｃｙ＃０）は等しい。
【０１３３】
図３の通信方法は、アイドル状態の端末装置１がＤ２Ｄに興味がある場合に実施される。一方、図４の通信方法は、コネクティッド状態の端末装置１がＤ２Ｄに興味がある場合に実施される。Ｄ２Ｄに興味がある場合とは、例えば、端末装置１がＤ２Ｄに関する一連の制御に対応可能な端末装置であって、かつ、Ｄ２Ｄに関するサービスの送信または受信、またはその両方がＮＡＳレイヤ部やアプリケーションレイヤ部などの上位レイヤから指示された場合を示す。
【０１３４】
端末装置１は、少なくともＤ２Ｄが可能な在圏セルのエリア内（カバレッジ内）に位置している。端末装置１は、本フローチャートを開始する前に、同周波数（Ｉｎｔｒａ−ｆｒｅｑｕｅｎｃｙ）、および／または異周波数（Ｉｎｔｅｒ−ｆｒｅｑｕｅｎｃｙ）における、それぞれのＤ２Ｄ関連情報を取得している。端末装置１は、さらに、ＲＡＴ間（Ｉｎｔｅｒ−ＲＡＴ）のＤ２Ｄ関連情報を取得していてもよい。Ｄ２Ｄ関連情報とは、少なくとも、周波数（周波数バンド）ＩＤ情報や、セルＩＤ情報、Ｄ２Ｄに関するリソース設定の情報（例えばＭｏｄｅ１／Ｍｏｄｅ２のリソース割り当て情報）などによって示される、Ｄ２Ｄのサービスに必要な周辺セル情報である。
【０１３５】
Ｄ２Ｄ関連情報は、基地局装置２から報知情報、または個別のＲＲＣメッセージによって提供される。端末装置１は、取得したＤ２Ｄ関連情報に基づいて、ネットワークが、どの周波数（周波数バンド、ＲＡＴ）でＤ２Ｄに関するサービスを提供しているのかを知ることができる。
【０１３６】
端末装置１は、取得したＤ２Ｄ関連情報に基づいて、接続しているセル（すなわち、在圏セル）の周波数以外である異周波数の周辺セル（異周波数セルと称する）でＤ２Ｄの送受信が可能な（サポートしている）モードについて判断する。端末装置１は、異周波数セルでサポートするモードを、Ｄ２Ｄ関連情報に基づいて判断することができる。
【０１３７】
異周波数セルでＤ２Ｄの送受信を行うか否かは、端末装置１において送受信が可能な周波数バンドの組み合わせと、Ｄ２Ｄをサポートする周波数とに基づいて端末装置１が自律的に判断する。特に、端末装置１は、異周波数セルにおいてＤ２ＤのＭｏｄｅ２がサポートされていることを条件の一つとみなしてよい。
【０１３８】
なお、端末装置１は、異周波数セルの測定結果（受信品質）を条件として考慮してもよい。例えば、異周波数セルの測定結果（ＲＳＲＰ、ＲＳＲＱなど）がセル選択基準を満たさない場合、異周波数セルでＤ２Ｄの送受信を行わなくてもよい。あるいは、異周波数セルの測定結果の少なくとも一つが通知された閾値を下回っている場合、異周波数セルでＤ２Ｄの送受信を行わなくてもよい。あるいは、異周波数セルの測定結果が通知された閾値を上回っている場合、異周波数セルでＤ２Ｄの送受信を行ってもよい。
【０１３９】
端末装置１は、加えて、または代わりに、在圏セルの測定結果を条件として考慮してもよい。例えば、在圏セルの測定結果が通知された閾値を上回っている場合、異周波数セルでＤ２Ｄの送受信を行わなくてもよい。あるいは、在圏セルの測定結果が通知された閾値を下回っている場合、異周波数セルでＤ２Ｄの送受信を行ってもよい。また、さらにこれらの条件が一定時間継続して満たされているかを判断するためのタイマーを用いてもよい。
【０１４０】
端末装置１は、加えて、または代わりに、異周波数セルで検出されたＤ２ＤＳＳの測定結果を条件として考慮してもよい。例えば、異周波数セルで検出されたＤ２ＤＳＳの測定結果（ＲＳＲＰ、ＲＳＲＱなど）が通知された閾値を下回っている場合、異周波数セルでＤ２Ｄの送受信を行わなくてもよい。
【０１４１】
条件に用いる閾値やタイマーの値は、基地局装置２から報知情報によってセル毎に通知されてもよいし、個別のＲＲＣメッセージによって端末装置１毎に通知されてもよいし、システムによって静的な値が事前に設定されていてもよい。例えば閾値やタイマーはセル選択（またはセル再選択）に用いるパラメータを再利用してもよいし、Ｄ２Ｄのために新たなパラメータとして通知されてもよい。また、Ｄ２ＤのＭｏｄｅによって異なる値が設定されてもよい。端末装置１は、条件を満たした異周波数セルを仮想的にカバレッジ内であるとみなしてもよい。
【０１４２】
端末装置１は、異周波数セルでＤ２Ｄの送受信を行う場合、異周波数セルで取得したＤ２Ｄに関するシステムインフォメーション（Ｄ２Ｄ関連情報）に基づいて、かかる異周波数セルにおけるＤ２Ｄのサービスを開始する。なお、異周波数セルでＤ２Ｄを行う場合、基地局装置２からのリソース割り当ての必要なＭｏｄｅ１の送信は行わない。端末装置１は、異周波数セルの基地局装置２から取得したＤ２Ｄ関連情報で許可されていれば（あるいは、リソース設定が通知されていれば）、Ｍｏｄｅ１の受信、および／または、Ｍｏｄｅ２の送受信をかかる異周波数セルで行う。
【０１４３】
図５は、Ｄ２Ｄが可能な端末装置１において送受信が可能な周波数バンドの組み合わせ（Ｂａｎｄ  Ｃｏｍｂｉｎａｔｉｏｎ）の一例を示した図である。周波数バンドの組み合わせは、ＲＦ能力として端末装置１毎に設定される。
【０１４４】
図中のＤＬ＃０とＤＬ＃１は、それぞれ下りリンクの周波数を示し、また、ＵＬ＃０とＵＬ＃１は、それぞれ上りリンクの周波数を示す。また、ＤＬ＃０とＵＬ＃０はある周波数バンドであるＢａｎｄ＃０の一部の周波数であり、ＤＬ＃１とＵＬ＃１は別のある周波数バンドであるＢａｎｄ＃１の一部の周波数である。ＴＤＤの場合、ＤＬ＃０とＵＬ＃０（またはＤＬ＃１とＵＬ＃１）は同じ周波数である。
【０１４５】
端末装置１において取りうるＲＦ能力の一例として、図５では、３通りの周波数バンドの組み合わせを示している。
【０１４６】
第１の組み合わせ（ＵＥ  ＲＦ  Ｃｏｍｂｉｎａｔｉｏｎ＃ａ）は、端末装置１のＲＦは、ＤＬ＃０とＵＬ＃０の周波数にチューニングされており、ＤＬ＃０の周波数において受信が可能であり、同様に、ＵＬ＃０の周波数において送信が可能であることを示す。また、Ｄ２Ｄに対応している場合、ＵＬ＃０の周波数においてＤ２Ｄの受信（すなわち、Ｄ２ＤＳＳ、ＰＤ２ＤＳＣＨ、ＰＵＳＣＨ（または、ＳＡなどを伝達するＤ２Ｄ専用の物理チャネル）などの受信）が可能であることを示す。
【０１４７】
第２の組み合わせ（ＵＥ  ＲＦ  Ｃｏｍｂｉｎａｔｉｏｎ＃ｂ）は、端末装置１のＲＦは、ＤＬ＃０とＵＬ＃０の周波数にチューニングされており、ＤＬ＃０の周波数において受信が可能であり、同様に、ＵＬ＃０の周波数において送信が可能であることを示す。さらに、別のＲＦは、ＤＬ＃１とＵＬ＃１の周波数にチューニングされており、ＤＬ＃１の周波数において受信が可能であり、同様に、ＵＬ＃１の周波数において送信が可能であることを示す。換言すれば、第２の組み合わせとは、同一のサブフレーム内で複数の周波数バンドに対する送受信が可能なＲＦ能力である。また、Ｄ２Ｄに対応している場合、ＵＬ＃０とＵＬ＃１の周波数においてＤ２Ｄの受信（すなわち、Ｄ２ＤＳＳ、ＰＤ２ＤＳＣＨ、ＰＵＳＣＨ（または、ＳＡなどを伝達するＤ２Ｄ専用の物理チャネル）などの受信）が可能であることを示す。
【０１４８】
第３の組み合わせ（ＵＥ  ＲＦ  Ｃｏｍｂｉｎａｔｉｏｎ＃ｃ）は、端末装置１のＲＦは、ＤＬ＃１とＵＬ＃１の周波数にチューニングされており、ＤＬ＃１の周波数において受信が可能であり、同様に、ＵＬ＃１の周波数において送信が可能であることを示す。また、Ｄ２Ｄに対応している場合、ＵＬ＃１の周波数においてＤ２Ｄの受信（すなわち、Ｄ２ＤＳＳ、ＰＤ２ＤＳＣＨ、ＰＵＳＣＨ（または、ＳＡなどを伝達するＤ２Ｄ専用の物理チャネル）などの受信）が可能であることを示す。
【０１４９】
ここで、端末装置１の在圏セルの周波数がＤＬ＃０であり、かつ、Ｄ２Ｄの送受信をサポート（許可）している周波数（Ｄ２Ｄ  ｓｕｐｐｏｒｔｅｄ  ｆｒｅｑｕｅｎｃｙ）がＵＬ＃０であるとする。このとき、ＲＦ能力として第１の組み合わせを用いる端末装置１は、同周波数のＢａｎｄ＃０においてＤ２Ｄの送受信を行うことができる。一方、Ｄ２Ｄの送受信をサポート（許可）している周波数がＵＬ＃１である場合、ＲＦ能力として第１の組み合わせを用いる端末装置１は、第２の組み合わせ、および／または、第３の組み合わせをＲＦ能力としてサポートしていない場合、Ｂａｎｄ＃１においてＤ２Ｄの送受信を行うことはできない。
【０１５０】
アイドル状態の端末装置１における、異周波数セルでのＤ２Ｄの通信方法について説明する。図３において、端末装置１は、ページングが送信される可能性のあるページング機会（Ｐａｇｉｎｇ  Ｏｃｃａｓｉｏｎ）の間隔を示すＤＲＸ周期（ＤＲＸ  ｃｙｃｌｅ）に従って、基地局装置２からの送信信号（ＰＤＣＣＨ）を下りリンク周波数（ＤＬ  ｆｒｅｑｕｅｎｃｙ＃０）において間欠的にモニタしている。具体的には、端末装置１は、ページング機会の開始時間より共通探索領域（コモンサーチスペース）において、Ｐ−ＲＮＴＩ（Ｐａｇｉｎｇ−Ｒａｄｉｏ  Ｎｅｔｗｏｒｋ  Ｔｅｍｐｏｒａｒｙ  Ｉｄｅｎｔｉｔｙ）でＣＲＣがマスクされたＰＤＣＣＨをモニタし、ページングの受信を試みる。ページングの受信はアクティブタイム（Ａｃｔｉｖｅ  Ｔｉｍｅ）と呼ばれるＰＤＣＣＨのモニタが必要な時間長において行われる。
【０１５１】
アクティブタイムの終了から、次のページング機会の開始時間の間、端末装置１は、通常キャンプしているセルに対する送受信処理を行わなくてよい期間だとみなし、アイドルギャップ（Ｉｄｌｅ  ｇａｐ）を生成可能であると判断する。端末装置１は、アイドルギャップを生成可能な区間において、ＳＡおよびＤ２Ｄのデータ送受信のためのリソースプールが設定されている区間（図では、時間Ｔ１０から時間Ｔ１１までと、時間Ｔ１２から時間Ｔ１３まで）において、端末装置１のＲＦ能力（ＲＦ  Ｃａｐａｂｉｌｉｔｙ）がサポートしている場合、異周波数セルでＤ２Ｄの送受信を試みてもよい。
【０１５２】
より具体的には、端末装置１は、アイドルギャップの区間において、Ｄ２Ｄをサポートする上りリンク（ＵＬ  ｆｒｅｑｕｅｎｃｙ＃０、ＵＬ  ｆｒｅｑｕｅｎｃｙ＃１）のそれぞれで、ＳＡリソースプールにおいてＳＡを受信、および／または、送信し、Ｄ２ＤデータリソースプールにおいてＤ２Ｄに関するデータを受信、および／または、送信してもよい。なお、Ｄ２Ｄの送受信とは、端末装置１が送信と受信の両方の動作を必ず行うという意味に限定されず、端末装置１は、Ｄ２Ｄの受信にのみ興味がある場合はＤ２Ｄに関する受信処理のみを行ってもよいし、Ｄ２Ｄの送信にのみ興味がある場合はＤ２Ｄに関する送信処理のみを行ってもよい。
【０１５３】
アイドルギャップのギャップ長は端末装置１が自律的に判断（設定）してよい。また、Ｄ２Ｄの送受信が可能な上りリンク周波数が複数ある場合、端末装置１がその優先度や順番について判断してよい。例えば、在圏セルの上りリンク周波数におけるＤ２Ｄを優先してよい。また、周波数ごとにギャップ長を設定してもよい。アイドルギャップのギャップ長は、端末装置１が興味のあるＤ２Ｄに関するＳＡとＤ２Ｄデータをそれぞれ受信できるだけの長さを保証する必要がある。例えば、端末装置１は、ギャップ長の長さを報知情報から取得したＤ２Ｄに関するリソースプールの時間領域の情報に基づいて決定してもよい。
【０１５４】
コネクティッド状態の端末装置１における、異周波数セルでのＤ２Ｄの通信方法について説明する。図４において、端末装置１は、基地局装置２からの送信信号（ＰＤＣＣＨ）をモニタしている。ＤＲＸ中であれば、端末装置１は、間欠的に発生するアクティブタイムにおいてＰＤＣＣＨをモニタしている。
【０１５５】
端末装置１は、在圏セルの上りリンクでＳＡおよびＤ２Ｄのデータ送受信のためのリソースプールが設定されている区間（図では、時間Ｔ２０から時間Ｔ２１まで）でＤ２Ｄの送受信を試みる。この区間（時間Ｔ２０から時間Ｔ２１まで）において、基地局装置２は端末装置１に下りリンクのスケジューリングを行わないことをＲＲＣメッセージによって通知することもできる。
【０１５６】
また、端末装置１は、異周波数セルの上りリンクでＳＡおよびＤ２Ｄのデータ送受信のためのリソースプールが設定されている区間（図では、時間Ｔ２２から時間Ｔ２３までの間）において、端末装置１のＲＦ能力（ＲＦ  Ｃａｐａｂｉｌｉｔｙ）がサポートしている場合、異周波数セルでＤ２Ｄの送受信を試みてもよい。
【０１５７】
より具体的には、端末装置１は、端末装置１のＲＦ能力がサポートしている場合、異周波数セルの上りリンク（ＵＬ  ｆｒｅｑｕｅｎｃｙ＃１）であって、Ｄ２Ｄのリソースプールが設定されている区間において、ＳＡリソースプールにおいてＳＡを受信、および／または、送信し、Ｄ２ＤデータリソースプールにおいてＤ２Ｄに関するデータを受信、および／または、送信してもよい。なお、Ｄ２Ｄの送受信とは、端末装置１が送信と受信の両方の動作を必ず行うという意味に限定されず、端末装置１は、Ｄ２Ｄの受信にのみ興味がある場合はＤ２Ｄに関する受信処理のみを行ってもよいし、Ｄ２Ｄの送信にのみ興味がある場合はＤ２Ｄに関する送信処理のみを行ってもよい。
【０１５８】
このように、端末装置１は、端末装置１のＲＦ能力に基づいて、在圏セルのＲＦ設定を変更せずに異周波数セルでＤ２Ｄの送受信が可能である場合、在圏セルにおける送受信（Ｄ２Ｄ以外も含む）に影響を与えずに、異周波数セルでＤ２Ｄの送受信を行うことができる（ただし、異周波数セルでのＭｏｄｅ１の送信を除く）。また、例えば、異周波数セルでのＤ２Ｄの送受信のためのギャップ（Ｄ２Ｄギャップ）が基地局装置２から設定されている場合（例えば、図４の時間Ｔ２２から時間Ｔ２３まで）、端末装置１は、Ｄ２Ｄギャップの区間において異周波数のセルにおいてＲＦ設定を変更することによって、Ｄ２Ｄの送受信を行うことができる。
【０１５９】
あるいは、端末装置１は、基地局装置２からＤ２Ｄギャップの自律的な生成が許可されている場合、Ｄ２Ｄギャップの区間において異周波数のセルにおいてＲＦ設定を変更することによって、Ｄ２Ｄの送受信を行うことができる。この場合、Ｄ２Ｄギャップのギャップ長は、端末装置１が興味のあるＤ２Ｄに関するＳＡとＤ２Ｄデータをそれぞれ受信できるだけの長さを保証する必要がある。例えば、端末装置１は、ギャップ長の長さを報知情報から取得したＤ２Ｄに関するリソースプールの時間領域の情報に基づいて決定してもよい。
【０１６０】
なお、基地局装置２は、セル内のロード（負荷）やキャパシティなどの指標に基づいて、端末装置１のＲＦ能力が異周波数セルにおけるＤ２Ｄをサポートしている場合であっても、報知情報や個別のＲＲＣメッセージによって周波数（セル）毎に、異周波数セルでのＤ２Ｄの送受信を行わないように端末装置１に通知することもできる。
【０１６１】
図３と図４で説明したＳＡリソースプールとＤ２Ｄデータリソースプールは、送信用と受信用のリソースプールが両方設定されていてもよいし、どちらか一方だけが設定されていてもよい。送信用のリソースプールと受信用のリソースプールは、時分割多重されていてもよいし、周波数多重されていてもよい。また、送信用のＳＡリソースプールと送信用のＤ２Ｄデータリソースプールのセットと、受信用のＳＡリソースプールと受信用のＤ２Ｄデータリソースプールのセットとが、時分割多重、または周波数多重されていてもよい。
【０１６２】
また、端末装置１は、上りリンク（ＵＬ  ｆｒｅｑｕｅｎｃｙ＃０、ＵＬ  ｆｒｅｑｕｅｎｃｙ＃１）においてＳＡを送信（受信）する基準となる参照タイミングを、Ｄ２Ｄの送受信を行う上りリンク送信サブフレームの周波数に対応（ｌｉｎｋａｇｅ）する下りリンクサブフレームの周波数の信号（例えば同期シグナル）の同期タイミング（ＤＬ  ｔｉｍｉｎｇ）に基づいて求めてもよい。
【０１６３】
例えば、端末装置１は、ＵＬ  ｆｒｅｑｕｅｎｃｙ＃１においてＳＡを受信するタイミングは、対応する下りリンク（ＤＬ  ｆｒｅｑｕｅｎｃｙ＃１）の同期タイミングに基づき、Ｄ２Ｄに関する送信データを受信するタイミング（すなわち、ＰＵＳＣＨ（または、Ｄ２Ｄ専用の物理チャネル）の受信タイミング）は、ＳＡの参照タイミングとＤ２Ｄに関するタイミング調整情報（Ｄ２Ｄ−ＴＡ）に基づいて求めてもよい。
【０１６４】
Ｄ２Ｄ−ＴＡは、受信したＳＡ毎に設定されてもよく、その場合、端末装置１は、受信したＳＡの参照タイミングとＤ２Ｄ−ＴＡとに基づいて、対応するＤ２Ｄに関する送信データをそれぞれ受信する。また、Ｄ２Ｄ−ＴＡは、Ｍｏｄｅ１のＤ２Ｄを受信する場合にのみ適用してもよい。また、Ｄ２Ｄ−ＴＡはＴＡと同じあっても良い。
【０１６５】
また、端末装置１は、Ｄ２Ｄに関する送信データを送信する場合に、ＳＡの参照タイミングとＤ２Ｄ−ＴＡに基づいてＰＵＳＣＨ（または、Ｄ２Ｄ専用の物理チャネル）の送信タイミングを求めてもよい。また、端末装置１は、Ｄ２Ｄ−ＴＡを示す情報をＳＡに含めて送信してもよい。また、Ｄ２Ｄ−ＴＡは、Ｍｏｄｅ１のＤ２Ｄを送信する場合にのみ適用してもよい。また、Ｄ２Ｄ−ＴＡはＴＡと同じあっても良い。
【０１６６】
このように、端末装置１は、在圏セルの周波数とは異なる異周波数の周辺セルでサービスされるＤ２Ｄに対し、ＲＦ能力に基づいて異周波数であってもＤ２Ｄの送受信を行うことができる。また、端末装置１は、従来の異周波数測定の手順（制御）とは異なり、Ｄ２Ｄに関する信号並びにチャネルの設定を取得するため、かかる異周波数において報知情報を取得する必要がある。ここで、報知情報（システムインフォメーション）とは、ＭＩＢ、ＳＩＢ１、および／または、システムインフォメーションメッセージによって通知されるそれぞれの報知情報の一部または全部のことを示す。
【０１６７】
図６は、端末装置１の異周波数における報知情報の取得に関わる手順の一例を示したフローチャート図である。端末装置１は、ステップＳ２０１において、Ｄ２Ｄをサポートしている異周波数セルにおいて、かかる異周波数セルのシステムインフォメーションの更新の有無について検出する。システムインフォメーションの更新は、かかる異周波数におけるページングメッセージによってシステムインフォメーション更新情報（ｓｙｓｔｅｍＩｎｆｏＭｏｄｉｆｉｃａｔｉｏｎ）が通知されているか否か、または、ＳＩＢ１における更新に関するタグ値（ｓｙｓｔｅｍＩｎｆｏＶａｌｕｅＴａｇ）が変更されているか否かを確認することによって検出（確認、判断）することができる。
【０１６８】
システムインフォメーションが更新される場合（ステップＳ２０１でＹｅｓ）、端末装置１は、システムインフォメーションの再取得を行う（ステップＳ２０２）。一方、システムインフォメーションが更新されてない場合（ステップＳ２０１でＮｏ）、端末装置１は、現在保持しているシステムインフォメーションを継続して使い続けてよい。
【０１６９】
なお、端末装置１は、システムインフォメーションの再取得に影響がなければ、Ｄ２Ｄの送受信を行ってもよい。また、複数のＤＲＸ周期に亘ってシステムインフォメーションの再取得を行ってもよい。
【０１７０】
基地局装置２は、システムインフォメーションの変更（更新）が行われる前に、更新されるセルで送信されるページングメッセージにシステムインフォメーション更新情報を含めて送信する。また、基地局装置２は、システムインフォメーションの変更が行われた後は、ＳＩＢ１に設定されるタグ値をインクリメントする。
【０１７１】
このように構成することによって、端末装置１は、Ｄ２Ｄに興味がある場合、少なくとも自端末装置に実装されているＲＦの組み合わせ（ＲＦ  Ｃａｐａｂｉｌｉｔｙ）と、Ｄ２Ｄをサポートするセルの周波数（周波数バンド）と、報知情報によって通知されるＤ２Ｄ関連情報と、に基づいて、Ｄ２Ｄをサポートする周波数における送受信が可能であるかを判断することができる。また、端末装置１は、Ｄ２Ｄをサポートするセルが異周波数セルである場合、在圏セル、および／または、異周波数セルの測定結果に基づいて、異周波数セルにおけるＤ２Ｄの送受信を行うか否かを判断することができる。
【０１７２】
また、端末装置１は、Ｄ２Ｄをサポートする異周波数セルでＤ２Ｄの送受信を行う場合、自律的なギャップを用いることによって異周波数でＤ２Ｄの送受信を行うことができる。また、基地局装置２は、Ｄ２Ｄに関するサービスを提供している周辺セル情報を通知することによって、端末装置１に対し、異周波数セルでＤ２Ｄの送受信させることができる。また、基地局装置２は、Ｄ２Ｄに関するギャップの情報を通知することによって、端末装置１に対し、異周波数セルでＤ２Ｄを送受信させることができる。
【０１７３】
第１の実施形態によれば、端末装置１は、Ｄ２Ｄに興味がある場合に、Ｄ２Ｄをサポートする異周波数セルから報知情報を取得し、異周波数セルでＤ２Ｄの送受信が可能である場合、セル再選択やハンドオーバなどによるセル間の移動を行わずにＤ２Ｄの送受信をかかる異周波数セルで行うことができるため、Ｄ２Ｄに関連する通信を効率的に行うことができる。また、基地局装置２は、端末装置１に対してＤ２Ｄをサポートする周波数の情報と、異周波数セルでのＤ２Ｄの送受信に用いられるギャップ情報とを通知することによって、異周波数セルでＤ２Ｄの送受信が可能である場合、端末装置１のＤ２Ｄに関連する通信を効率的に行わせることができる。
【０１７４】
＜第２の実施形態＞
本発明の第２の実施形態について以下に説明する。
【０１７５】
第１の実施形態では、端末装置１における異周波数セルでＤ２Ｄをサポートする場合について示したが、同様の通信方法は複数の在圏セルに対しても適用することができる。すなわち、端末装置１がプライマリセルのみでＤ２Ｄをサポートしている場合、Ｄ２ＤをサポートしているセカンダリセルでＤ２Ｄの送受信を行うためにはハンドオーバなどによるプライマリセルの変更が必要となってしまう。そこで、第２の実施形態では、複数の在圏セルを設定されている場合における、端末装置１のＤ２Ｄの通信方法について述べる。
【０１７６】
第２の実施形態の端末装置１と基地局装置２の構成は第１の実施形態と同じ構成でよいため説明を省略する。ただし、第２の実施形態の端末装置１と基地局装置２は、それぞれ、プライマリセルに加えて少なくとも一つのセカンダリセルを用いた複数セルによるキャリア集約（例えば、キャリア・アグリゲーション）と、それに関連する一連の機能が実現可能であるとする。
【０１７７】
基地局装置２は、コネクティッド状態の端末装置１に対し、プライマリセルと、少なくとも一つのセカンダリセルの設定を通知し、複数の在圏セルを用いて通信を行う。端末装置１は、複数の在圏セルの周波数をそれぞれ同周波数（Ｉｎｔｒａ−ｆｒｅｑｕｅｎｃｙ）とみなし、それ以外の周波数を異周波数（Ｉｎｔｅｒ−ｆｒｅｑｕｅｎｃｙ）とみなす。端末装置１は、同周波数、および／または、異周波数における、それぞれのＤ２Ｄ関連情報を取得している。端末装置１は、さらに、ＲＡＴ間（Ｉｎｔｅｒ−ＲＡＴ）のＤ２Ｄ関連情報を取得していてもよい。
【０１７８】
Ｄ２Ｄ関連情報は、基地局装置２から報知情報、または個別のＲＲＣメッセージによって提供される。端末装置１は、取得したＤ２Ｄ関連情報に基づいて、ネットワークが、どの周波数（周波数バンド、ＲＡＴ）でＤ２Ｄに関するサービスを提供しているのかを知ることができる。
【０１７９】
端末装置１は、取得したＤ２Ｄ関連情報に基づいて、セカンダリセルでＤ２Ｄの送受信が可能な（サポートしている）モードについて判断する。端末装置１は、セカンダリセルでサポートするモードを、Ｄ２Ｄ関連情報に基づいて判断することができる。
【０１８０】
セカンダリセルでＤ２Ｄの送受信を行うか否かは、端末装置１において送受信が可能な周波数バンドの組み合わせと、Ｄ２Ｄをサポートする周波数とに基づいて端末装置１が自律的に判断する。特に、端末装置１は、セカンダリセルにおいてＤ２ＤのＭｏｄｅ２がサポートされていることを条件の一つとみなしてよい。
【０１８１】
なお、端末装置１は、セカンダリセルの測定結果（受信品質）を条件として考慮してもよい。例えば、セカンダリセルの測定結果（ＲＳＲＰ、ＲＳＲＱなど）が通知された閾値を満たさない場合、セカンダリセルでＤ２Ｄの送受信を行わなくてもよい。あるいは、セカンダリセルの測定結果の少なくとも一つが通知された閾値を下回っている場合、セカンダリセルでＤ２Ｄの送受信を行わなくてもよい。あるいは、セカンダリセルの測定結果が通知された閾値を上回っている場合、セカンダリセルでＤ２Ｄの送受信を行ってもよい。
【０１８２】
端末装置１は、加えて、または代わりに、プライマリセルの測定結果を条件として考慮してもよい。例えば、プライマリセルの測定結果が通知された閾値を上回っている場合、セカンダリセルでＤ２Ｄの送受信を行わなくてもよい。あるいは、プライマリセルの測定結果が通知された閾値を下回っている場合、セカンダリセルでＤ２Ｄの送受信を行ってもよい。また、さらにこれらの条件が一定時間継続して満たされているかを判断するためのタイマーを用いてもよい。
【０１８３】
端末装置１は、加えて、または代わりに、セカンダリセルの状態を考慮してもよい。例えば、セカンダリセルが活性化しているとき、あるいは、不活性化しているときのみ、セカンダリセルでＤ２Ｄの送受信を行ってもよい。また、端末装置１は、ＤＲＸ中であることを条件に加えてもよい。また、端末装置１は、ＤＲＸサイクルの長さがある閾値よりも長いことを条件に加えてもよい。
【０１８４】
端末装置１は、加えて、または代わりに、セカンダリセルで検出されたＤ２ＤＳＳの測定結果を条件として考慮してもよい。例えば、セカンダリセルで検出されたＤ２ＤＳＳの測定結果（ＲＳＲＰ、ＲＳＲＱなど）が通知された閾値を下回っている場合、セカンダリセルでＤ２Ｄの送受信を行わなくてもよい。
【０１８５】
条件に用いる閾値やタイマーの値は、基地局装置２から報知情報によってセル毎に通知されてもよいし、個別のＲＲＣメッセージによって端末装置１毎に通知されてもよいし、システムによって静的な値が事前に設定されていてもよい。例えば閾値やタイマーは測定イベントに用いるパラメータを再利用してもよいし、Ｄ２Ｄのために新たなパラメータとして通知されてもよい。また、Ｄ２ＤのＭｏｄｅによって異なる値が設定されてもよい。
【０１８６】
端末装置１は、セカンダリセルでＤ２Ｄの送受信を行う場合、セカンダリセルで取得したＤ２Ｄに関するシステムインフォメーション（Ｄ２Ｄ関連情報）に基づいて、かかるセカンダリセルにおけるＤ２Ｄのサービスを開始する。端末装置１は、セカンダリセルの基地局装置２から取得したＤ２Ｄ関連情報で許可されていれば（あるいは、リソース設定が通知されていれば）、Ｍｏｄｅ１の送受信、および／または、Ｍｏｄｅ２の送受信をかかるセカンダリセルで行う。
【０１８７】
また、このとき端末装置１は、ＳＡを送信（受信）する基準となる参照タイミングを、プライマリセルの同期タイミングに基づいて求めてもよいし、Ｄ２Ｄの送受信を行うセカンダリセルの上りリンク送信サブフレームの周波数に対応（ｌｉｎｋａｇｅ）する下りリンクサブフレームの周波数の信号（例えば同期シグナル）の同期タイミング（ＤＬ  ｔｉｍｉｎｇ）に基づいて求めてもよいし、ＴＡグループ毎のタイミング参照セルに基づいて求めてもよい。また、端末装置１は、上りリンク送信サブフレームの周波数においてＤ２Ｄに関する送信データを受信するタイミング（すなわち、ＰＵＳＣＨ（または、Ｄ２Ｄ専用の物理チャネル）の受信タイミング）を、ＳＡの参照タイミングとＤ２Ｄに関するタイミング調整情報（Ｄ２Ｄ−ＴＡ）に基づいて求めてもよい。
【０１８８】
Ｄ２Ｄ−ＴＡは、プライマリセルとセカンダリセルとで共通の値が設定されてもよい。また、Ｄ２Ｄ−ＴＡは、ＴＡグループ毎に値が設定されてもよい。また、Ｄ２Ｄ−ＴＡは、受信したＳＡ毎に設定されてもよく、その場合、端末装置１は、受信したＳＡの参照タイミングとＤ２Ｄ−ＴＡとに基づいて、対応するＤ２Ｄに関する送信データをそれぞれ受信する。また、Ｄ２Ｄ−ＴＡは、Ｍｏｄｅ１のＤ２Ｄを受信する場合にのみ適用してもよい。また、Ｄ２Ｄ−ＴＡはＴＡと同じあっても良い。
【０１８９】
また、端末装置１は、Ｄ２Ｄに関する送信データを送信する場合に、ＳＡの参照タイミングとＤ２Ｄ−ＴＡに基づいてＰＵＳＣＨ（または、Ｄ２Ｄ専用の物理チャネル）の送信タイミングを求めてもよい。また、端末装置１は、Ｄ２Ｄ−ＴＡを示す情報をＳＡに含めて送信してもよい。また、Ｄ２Ｄ−ＴＡは、Ｍｏｄｅ１のＤ２Ｄを送信する場合にのみ適用してもよい。また、Ｄ２Ｄ−ＴＡはＴＡと同じあっても良い。
【０１９０】
端末装置１は、端末装置１のＲＦ能力がサポートしている場合、セカンダリセルの上りリンクであって、報知情報によってＤ２Ｄのリソースプールが設定されている区間において、求めたそれぞれの受信タイミングに基づき、ＳＡリソースプールにおいてＳＡを受信、および／または、送信し、Ｄ２ＤデータリソースプールにおいてＤ２Ｄに関するデータを受信、および／または、送信してもよい。なお、Ｄ２Ｄの送受信とは、端末装置１が送信と受信の両方の動作を必ず行うという意味に限定されず、端末装置１は、Ｄ２Ｄの受信にのみ興味がある場合はＤ２Ｄに関する受信処理のみを行ってもよいし、Ｄ２Ｄの送信にのみ興味がある場合はＤ２Ｄに関する送信処理のみを行ってもよい。
【０１９１】
また、端末装置１は、Ｍｏｄｅ１／Ｍｏｄｅ２の両方がセカンダリセルでサポートされている場合、ＴＡタイマーが計時中である場合はＭｏｄｅ１／Ｍｏｄｅ２の両方を行い（Ｍｏｄｅ１は受信のみでもよい）、ＴＡタイマーが満了している場合（停止中の場合）はＭｏｄｅ２のみを行うように動作してもよい。
【０１９２】
また、端末装置１は、Ｄ２ＤのＭｏｄｅ１がセカンダリセルでサポートされている場合であって、かつ、セカンダリセルに対するＤ２ＤのＭｏｄｅ１が許可されている場合は、プライマリセルにおけるＤ２Ｄのサポートに関わらず、Ｍｏｄｅ１の送受信をセカンダリセルで行ってもよい。より具体的には、Ｄ２ＤのＭｏｄｅ１をサポートしていることが報知情報、または個別のＲＲＣメッセージによる端末装置１に通知されているセルが、コネクティッド状態の端末装置１に対してセカンダリセルとして設定され、かつ、かかるセカンダリセルでＤ２ＤのＭｏｄｅ１（の送信）が許可されることを示す情報が端末装置１に通知されている場合、端末装置１は、設定されたセカンダリセルに対してＤ２ＤのＭｏｄｅ１の送受信を行ってもよい。
【０１９３】
この場合、端末装置１は、プライマリセルでＤ２Ｄをサポートしていなくても、Ｄ２Ｄに関する送信データのバッファ量に基づくバッファステータスレポート（ＰｒｏＳｅ  ＢＳＲ）をプライマリセルで送信してもよい。基地局装置２は、受信したＤ２Ｄに関するバッファステータスレポートに基づいて、Ｄ２Ｄグラントをセカンダリセルで送信してもよい。
【０１９４】
セカンダリセルでＤ２ＤのＭｏｄｅ１（の送信）が許可されることを示す情報は、セカンダリセルの設定の一部としてセカンダリセル毎にＲＲＣメッセージで通知されてもよいし、報知情報として通知されてもよい。複数のセカンダリセルが設定されている場合、端末装置１は、ＰｒｏＳｅ  ＢＳＲ、またはスケジューリングリクエストに対し、Ｍｏｄｅ１のリソースを要求するセカンダリセルを示すインデックス情報を含めてもよい。なお、セカンダリセルはプライマリセカンダリセルであってもよい。
【０１９５】
一方、セカンダリセルがＤ２ＤのＭｏｄｅ１をサポートしている場合であって、かつ、Ｄ２ＤのＭｏｄｅ１（の送信）が許可されることを示す情報が通知されていない場合、端末装置１は、Ｄ２ＤのＭｏｄｅ１に関して、かかるセカンダリセルでは受信のみを行ってもよい。
【０１９６】
また、端末装置１は、セカンダリセルが活性化している状態から不活性化された状態となった場合に、セカンダリセルにおけるＤ２Ｄの送受信を行わないように動作してもよい。端末装置１は、加えて、または代わりに、セカンダリセルが活性化している状態から不活性化された状態となった場合に、セカンダリセルにおけるＤ２Ｄの送受信を、Ｍｏｄｅ１／Ｍｏｄｅ２の両方から（Ｍｏｄｅ１は受信のみでもよい）、Ｍｏｄｅ２のみを行うように動作してもよい。
【０１９７】
また、端末装置１は、取得したＤ２Ｄ関連情報に基づいて、在圏セル（プライマリセルとセカンダリセル）の周波数以外の周辺セル（異周波数セル）でＤ２Ｄの送受信が可能な（サポートしている）モードについて判断する。端末装置１は、異周波数セルでサポートするモードを、Ｄ２Ｄ関連情報に基づいて判断することができる。
【０１９８】
異周波数セルでＤ２Ｄの送受信を行うか否かは、端末装置１において送受信が可能な周波数バンドの組み合わせと、Ｄ２Ｄをサポートする周波数とに基づいて端末装置１が自律的に判断する。特に、端末装置１は、異周波数セルにおいてＤ２ＤのＭｏｄｅ２がサポートされていることを条件の一つとみなしてよい。
【０１９９】
なお、端末装置１は、異周波数セルの測定結果（受信品質）を条件として考慮してもよい。例えば、異周波数セルの測定結果（ＲＳＲＰ、ＲＳＲＱなど）がセル選択基準、または設定されたイベントトリガ条件を満たさない場合、異周波数セルでＤ２Ｄの送受信を行わなくてもよい。あるいは、異周波数セルの測定結果の少なくとも一つが通知された閾値を下回っている場合、異周波数セルでＤ２Ｄの送受信を行わなくてもよい。あるいは、異周波数セルの測定結果が通知された閾値を上回っている場合、異周波数セルでＤ２Ｄの送受信を行ってもよい。
【０２００】
端末装置１は、加えて、または代わりに、在圏セルの測定結果を条件として考慮してもよい。例えば、プライマリセル、および／または、セカンダリセルの測定結果が通知された閾値を上回っている場合、異周波数セルでＤ２Ｄの送受信を行わなくてもよい。あるいは、プライマリセル、および／または、セカンダリセルが通知された閾値を下回っている場合、異周波数セルでＤ２Ｄの送受信を行ってもよい。また、さらにこれらの条件が一定時間継続して満たされているかを判断するためのタイマーを用いてもよい。
【０２０１】
端末装置１は、加えて、または代わりに、セカンダリセルの状態を考慮してもよい。例えば、セカンダリセルが活性化しているとき、あるいは、不活性化しているときのみ、異周波数セルでＤ２Ｄの送受信を行ってもよい。また、端末装置１は、ＤＲＸ中であることを条件に加えてもよい。また、端末装置１は、ＤＲＸサイクルの長さがある閾値よりも長いことを条件に加えてもよい。
【０２０２】
端末装置１は、加えて、または代わりに、異周波数セルで検出されたＤ２ＤＳＳの測定結果を条件として考慮してもよい。例えば、異周波数セルで検出されたＤ２ＤＳＳの測定結果（ＲＳＲＰ、ＲＳＲＱなど）が通知された閾値を下回っている場合、異周波数セルでＤ２Ｄの送受信を行わなくてもよい。
【０２０３】
条件に用いる閾値やタイマーの値は、基地局装置２から報知情報によってセル毎に通知されてもよいし、個別のＲＲＣメッセージによって端末装置１毎に通知されてもよいし、システムによって静的な値が事前に設定されていてもよい。例えば閾値やタイマーはセル選択（またはセル再選択）に用いるパラメータを再利用してもよいし、イベントトリガ条件のパラメータを再利用してもよいし、Ｄ２Ｄのために新たなパラメータとして通知されてもよい。また、Ｄ２ＤのＭｏｄｅによって異なる値が設定されてもよい。端末装置１は、条件を満たした異周波数セルを仮想的にカバレッジ内であるとみなしてもよい。
【０２０４】
また、このとき端末装置１は、ＳＡを送信（受信）する基準となる参照タイミングを、Ｄ２Ｄの送受信を行う上りリンク送信サブフレームの周波数に対応（ｌｉｎｋａｇｅ）する下りリンクサブフレームの周波数の信号（例えば同期シグナル）の同期タイミング（ＤＬ  ｔｉｍｉｎｇ）に基づいて求めてもよい。また、端末装置１は、上りリンク送信サブフレームの周波数においてＤ２Ｄに関する送信データを受信するタイミング（すなわち、ＰＵＳＣＨ（または、Ｄ２Ｄ専用の物理チャネル）の受信タイミング）を、ＳＡの参照タイミングとＤ２Ｄに関するタイミング調整情報（Ｄ２Ｄ−ＴＡ）に基づいて求めてもよい。
【０２０５】
Ｄ２Ｄ−ＴＡは、受信したＳＡ毎に設定されてもよく、その場合、端末装置１は、受信したＳＡの参照タイミングとＤ２Ｄ−ＴＡとに基づいて、対応するＤ２Ｄに関する送信データをそれぞれ受信する。また、Ｄ２Ｄ−ＴＡは、Ｍｏｄｅ１のＤ２Ｄを受信する場合にのみ適用してもよい。また、Ｄ２Ｄ−ＴＡはＴＡと同じあっても良い。
【０２０６】
また、端末装置１は、Ｄ２Ｄに関する送信データを送信する場合に、ＳＡの参照タイミングとＤ２Ｄ−ＴＡに基づいてＰＵＳＣＨ（または、Ｄ２Ｄ専用の物理チャネル）の送信タイミングを求めてもよい。また、端末装置１は、Ｄ２Ｄ−ＴＡを示す情報をＳＡに含めて送信してもよい。また、Ｄ２Ｄ−ＴＡは、Ｍｏｄｅ１のＤ２Ｄを送信する場合にのみ適用してもよい。また、Ｄ２Ｄ−ＴＡはＴＡと同じあっても良い。
【０２０７】
端末装置１は、端末装置１のＲＦ能力がサポートしている場合、異周波数セルの上りリンクであって、報知情報によってＤ２Ｄのリソースプールが設定されている区間において、求めたそれぞれの受信タイミングに基づき、ＳＡリソースプールにおいてＳＡを受信、および／または、送信し、Ｄ２ＤデータリソースプールにおいてＤ２Ｄに関するデータを受信、および／または、送信してもよい。なお、Ｄ２Ｄの送受信とは、端末装置１が送信と受信の両方の動作を必ず行うという意味に限定されず、端末装置１は、Ｄ２Ｄの受信にのみ興味がある場合はＤ２Ｄに関する受信処理のみを行ってもよいし、Ｄ２Ｄの送信にのみ興味がある場合はＤ２Ｄに関する送信処理のみを行ってもよい。
【０２０８】
このように構成することによって、端末装置１は、Ｄ２Ｄに興味がある場合、少なくとも自端末装置に実装されているＲＦの組み合わせ（ＲＦ  Ｃａｐａｂｉｌｉｔｙ）と、Ｄ２Ｄをサポートするセルの周波数（周波数バンド）と、報知情報によって通知されるＤ２Ｄ関連情報と、に基づいて、Ｄ２Ｄをサポートする周波数における送受信が可能であるかを判断することができる。また、端末装置１は、Ｄ２Ｄをサポートするセルがセカンダリセルである場合、プライマリセル、および／または、セカンダリセルの測定結果に基づいて、セカンダリセルにおけるＤ２Ｄの送受信を行うか否かを判断することができる。
【０２０９】
また、端末装置１は、Ｄ２ＤをサポートするセカンダリセルでＤ２Ｄの送受信を行う場合、セカンダリセルの報知情報で通知されるリソースプールの情報に基づいて必要なタイミングでＤ２Ｄの送受信を行うことができる。また、基地局装置２は、Ｄ２Ｄに関するサービスを提供している周辺セル情報を通知することによって、端末装置１に対し、セカンダリセルでＤ２Ｄの送受信させることができる。また、基地局装置２は、Ｄ２Ｄに関するリソースプールの情報を通知することによって、端末装置１に対し、セカンダリセルでＤ２Ｄを送受信させることができる。
【０２１０】
第２の実施形態によれば、端末装置１は、Ｄ２Ｄに興味がある場合に、Ｄ２Ｄをサポートするセカンダリセルから報知情報を取得し、異周波数セルでＤ２Ｄの送受信が可能である場合、ハンドオーバなどによるプライマリセルの変更を行わずにＤ２Ｄの送受信をかかるセカンダリセルで行うことができるため、Ｄ２Ｄに関連する通信を効率的に行うことができる。また、基地局装置２は、端末装置１に対してＤ２Ｄをサポートする周波数の情報と、セカンダリセルでのＤ２Ｄの送受信に用いられるリソースプールの情報とを、報知情報を用いて通知することによって、セカンダリセルでＤ２Ｄの送受信が可能である場合、端末装置１のＤ２Ｄに関連する通信を効率的に行わせることができる。
【０２１１】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０２１２】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２１３】
また、Ｄ２Ｄに関する送信データは、端末装置１における上りリンク周波数を用いて受信されるため、各実施形態で「下りリンク」という表現が用いられている場合、Ｄ２Ｄに関しては、「上りリンク周波数を用いた他の端末装置１からのＤ２Ｄに関する送信データの受信（Ｄ２Ｄ受信、Ｄ２Ｄ−Ｒｘとも称する）」という意味に解釈されるべきである。同様に、各実施形態で「上りリンク」という表現が用いられている場合、Ｄ２Ｄに関しては、「上りリンク周波数を用いた他の端末装置１へのＤ２Ｄに関する送信データの送信（Ｄ２Ｄ送信、Ｄ２Ｄ−Ｔｘとも称する）」という意味に解釈されるべきである。
【０２１４】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ（ＭＴＣ）、マシンタイプ通信）にも用いられる。
【０２１５】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０２１６】
なお、基地局装置２は、３ＧＰＰが規定するＵＭＴＳにおいてＮＢと称され、ＥＵＴＲＡにおいてｅＮＢと称される。なお、３ＧＰＰが規定するＵＭＴＳ、ＥＵＴＲＡにおける端末装置１はＵＥと称される。
【０２１７】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０２１８】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置及びディスプレイ駆動装置、メモリ、入出力インターフェース及び入出力端子、スピーカー、その他の周辺装置によって構成される。
【０２１９】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０２２０】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０２２１】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０２２２】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０２２３】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２２４】
また、上記プログラムは、前述した機能の一部を実現するためのものであってもよく、さらに、前述した機能をコンピュータシステムに既に記録されているプログラムとの組み合わせで実現できるものであってもよい。
【０２２５】
また、上記各実施形態に用いた端末装置１および基地局装置２の各機能ブロック、または諸特徴は、少なくとも本明細書で述べられた機能を発揮できるように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって実装または実行され得る。
【０２２６】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよいし、その両方を含んでいてもよい。
【０２２７】
プロセッサはまた、コンピューティングデバイスを組み合わせたものとして実装されてもよい。例えば、ＤＳＰとマイクロプロセッサ、複数のマイクロプロセッサ、ＤＳＰコアと接続された一つ以上のマイクロプロセッサ、またはその他のそのような構成を組み合わせたものであってもよい。
【０２２８】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０２２９】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【産業上の利用可能性】
【０２３０】
本発明は、端末装置、基地局装置を含む通信装置その他の電子機器の分野で利用が可能である。
【符号の説明】
【０２３１】
１    端末装置
２    基地局装置
１０１、２０１    受信部
１０２、２０２    復調部
１０３、２０３    復号部
１０４、２０４    受信データ制御部
１０５、２０５    物理レイヤ制御部
１０６、２０６    送信データ制御部
１０７、２０７    符号部
１０８、２０８    変調部
１０９、２０９    送信部
１１０、２１０    無線リソース制御部
２１１    ネットワーク信号送受信部
Ｔ０１、Ｔ０２    送信アンテナ
Ｒ０１、Ｒ０２    受信アンテナ
【図１】
0006515410.tif 000002
【図２】
0006515410.tif 000003
【図３】
0006515410.tif 000004
【図４】
0006515410.tif 000005
【図５】
0006515410.tif 000006
【図６】
0006515410.tif 000007
【図７】
0006515410.tif 000008